(57)【要約】  時分割複信（ＴＤＤ）ネットワークにおけるネットワークノード間干渉の最小化のための方法および装置が開示される。一実施形態によれば、リモート干渉管理のためのネットワークノードにおける方法は、通信信号スロット内の参照信号についての位置を指示する情報を受信することであって、位置が、ダウンリンク−アップリンク切替えに関連する参照ポイントに対して指示される、情報を受信することと、受信された情報に少なくとも部分的に基づいて、参照信号を送信することと参照信号を受信することとのうちの少なくとも１つを行うことと、受信された参照信号と参照信号の位置を指示する受信された情報とのうちの少なくとも１つに少なくとも部分的に基づいて、リモート干渉が存在するかどうかを決定することとを含む。【選択図】図１２
2021533682.tif 000002
【特許請求の範囲】
【請求項１】
リモート干渉管理のためのネットワークノード（１６）における方法であって、前記方法は、
通信信号スロット内の参照信号についての位置を指示する情報を受信すること（Ｓ１３４）であって、前記位置が、ダウンリンク−アップリンク切替えに関連する参照ポイントに対して指示される、情報を受信すること（Ｓ１３４）と、
前記受信された情報に少なくとも部分的に基づいて、前記参照信号を送信することと前記参照信号を受信することとのうちの少なくとも１つを行うこと（Ｓ１３６）と、
前記受信された参照信号と、前記参照信号の前記位置を指示する前記受信された情報とのうちの少なくとも１つに少なくとも部分的に基づいて、リモート干渉が存在するかどうかを決定すること（Ｓ１３８）と
を含む、方法。
【請求項２】
前記受信された参照信号と前記参照信号の前記位置を指示する前記受信された情報とのうちの少なくとも１つに少なくとも部分的に基づいて、前記リモート干渉の程度を決定すること
をさらに含む、請求項１に記載の方法。
【請求項３】
前記情報が、前記参照信号を物理リソースにマッピングすることによって、前記参照信号の前記位置を指示する、請求項１または２に記載の方法。
【請求項４】
前記情報が、前記参照信号についての時間オフセットを指示する、請求項１から３のいずれか一項に記載の方法。
【請求項５】
前記参照信号の前記位置を指示する前記情報が、運用アドミニストレーション保守（ＯＡＭ）シグナリングを介して受信されることと、
前記参照信号が、第２のネットワークノード（１６）から受信されることと
のうちの少なくとも１つである、請求項１から４のいずれか一項に記載の方法。
【請求項６】
前記位置が固定位置であることと、
前記参照ポイントが、ガード期間の開始であることと、
前記ダウンリンク−アップリンク切替えが、時分割複信（ＴＤＤ）設定に対応することと
のうちの少なくとも１つである、請求項１から５のいずれか一項に記載の方法。
【請求項７】
前記指示された位置は、どの直交周波数分割多重（ＯＦＤＭ）シンボル中で前記参照信号が送信されるべきであるかである、請求項１から６のいずれか一項に記載の方法。
【請求項８】
前記指示された位置が、最も小さいガード期間の開始の前の最後のダウンリンク（ＤＬ）シンボルに対応する、請求項１から７のいずれか一項に記載の方法。
【請求項９】
前記受信された参照信号と前記参照信号の前記位置を指示する前記受信された情報とに少なくとも部分的に基づいて、前記ネットワークノード（１６）が第２のネットワークノード（１６）への干渉を引き起こしている程度を決定することと、
前記ネットワークノード（１６）が前記第２のネットワークノード（１６）への干渉を引き起こしている前記決定された程度に少なくとも部分的に基づいて、前記ネットワークノード（１６）のガード期間を増加させることと
のうちの少なくとも１つをさらに含む、請求項１から８のいずれか一項に記載の方法。
【請求項１０】
前記参照信号がその上で受信されるシンボルと前記参照信号がその上で送信されたシンボルとの間の差が前記ネットワークノード（１６）のガード期間よりも大きいかどうかを決定することであって、前記指示された位置は、前記参照信号がその上で送信された前記シンボルを指示する、差が前記ネットワークノード（１６）のガード期間よりも大きいかどうかを決定することと、
前記差が前記ガード期間よりも大きい場合、前記ガード期間を増加させることと
のうちの少なくとも１つをさらに含む、請求項１から９のいずれか一項に記載の方法。
【請求項１１】
無線デバイス（ＷＤ）（２２）と通信するように設定されたネットワークノード（１６）であって、前記ネットワークノード（１６）が処理回路（６８）を備え、前記処理回路（６８）は、前記ネットワークノード（１６）に、
通信信号スロット内の参照信号についての位置を指示する情報を受信することであって、前記位置が、ダウンリンク−アップリンク切替えに関連する参照ポイントに対して指示される、情報を受信することと、
前記受信された情報に少なくとも部分的に基づいて、前記参照信号を送信することと前記参照信号を受信することとのうちの少なくとも１つを行うことと、
前記受信された参照信号と前記参照信号の前記位置を指示する前記受信された情報とのうちの少なくとも１つに少なくとも部分的に基づいて、リモート干渉が存在するかどうかを決定することと
を行わせるように設定された、ネットワークノード（１６）。
【請求項１２】
前記処理回路（６８）が、前記ネットワークノード（１６）に、
前記受信された参照信号と前記参照信号の前記位置を指示する前記受信された情報とのうちの少なくとも１つに少なくとも部分的に基づいて、前記リモート干渉の程度を決定すること
を行わせるようにさらに設定された、請求項１１に記載のネットワークノード（１６）。
【請求項１３】
前記情報が、前記参照信号を物理リソースにマッピングすることによって、前記参照信号の前記位置を指示する、請求項１１または１２に記載のネットワークノード（１６）。
【請求項１４】
前記情報が、前記参照信号についての時間オフセットを指示する、請求項１１から１３のいずれか一項に記載のネットワークノード（１６）。
【請求項１５】
前記参照信号の前記位置を指示する前記情報が、運用アドミニストレーション保守（ＯＡＭ）シグナリングを介して受信されることと、
前記参照信号が、第２のネットワークノード（１６）から受信されることと
のうちの少なくとも１つである、請求項１１から１４のいずれか一項に記載のネットワークノード（１６）。
【請求項１６】
前記位置が固定位置であることと、
前記参照ポイントが、ガード期間の開始であることと、
前記ダウンリンク−アップリンク切替えが、時分割複信（ＴＤＤ）設定に対応することと
のうちの少なくとも１つである、請求項１１から１５のいずれか一項に記載のネットワークノード（１６）。
【請求項１７】
前記指示された位置は、どの直交周波数分割多重（ＯＦＤＭ）シンボル中で前記参照信号が送信されるべきであるかである、請求項１１から１６のいずれか一項に記載のネットワークノード（１６）。
【請求項１８】
前記指示された位置が、最も小さいガード期間の開始の前の最後のダウンリンク（ＤＬ）シンボルに対応する、請求項１１から１７のいずれか一項に記載のネットワークノード（１６）。
【請求項１９】
前記処理回路（６８）は、前記ネットワークノード（１６）に、
前記受信された参照信号と前記参照信号の前記位置を指示する前記受信された情報とに少なくとも部分的に基づいて、前記ネットワークノード（１６）が第２のネットワークノード（１６）への干渉を引き起こしている程度を決定することと、
前記ネットワークノード（１６）が前記第２のネットワークノード（１６）への干渉を引き起こしている前記決定された程度に少なくとも部分的に基づいて、前記ネットワークノード（１６）のガード期間を増加させることと
のうちの少なくとも１つを行わせるようにさらに設定された、請求項１１から１８のいずれか一項に記載のネットワークノード（１６）。
【請求項２０】
前記処理回路（６８）は、前記ネットワークノード（１６）に、
前記参照信号がその上で受信されるシンボルと前記参照信号がその上で送信されたシンボルとの間の差が前記ネットワークノード（１６）のガード期間よりも大きいかどうかを決定することであって、前記指示された位置は、前記参照信号がその上で送信された前記シンボルを指示する、差が前記ネットワークノード（１６）のガード期間よりも大きいかどうかを決定することと、
前記差が前記ガード期間よりも大きい場合、前記ガード期間を増加させることと
のうちの少なくとも１つを行わせるようにさらに設定された、請求項１１から１９のいずれか一項に記載のネットワークノード（１６）。
【発明の詳細な説明】
【技術分野】
【０００１】
無線通信、および特に、時分割複信（ＴＤＤ）ネットワークにおける基地局（ＢＳ）間干渉の最小化に関する。
【背景技術】
【０００２】
ＴＤＤネットワークにおける干渉保護
無線セルラネットワークはセルで構築され、各セルは、無線基地局（ＢＳ）などのネットワークノードの、あるカバレッジエリアによって規定される。ＢＳは、ネットワーク中の無線デバイス（ＷＤ）／ユーザ機器（ＵＥ）など、端末と無線通信する。通信は、対スペクトルまたは不対スペクトルのいずれかにおいて行われる。対スペクトルの場合、ダウンリンク（ＤＬ）方向とアップリンク（ＵＬ）方向とは、周波数において分離され得、これは周波数分割複信（ＦＤＤ）と呼ばれる。不対スペクトルの場合、ＤＬとＵＬとは、同じスペクトルを使用し、これは時分割複信（ＴＤＤ）と呼ばれる。その名が示すように、ＤＬとＵＬとは、一般にそれらの間にガード期間（ＧＰ）を伴って、時間ドメインにおいて分離される。ガード期間はいくつかの目的を果たす。たとえば、ＢＳおよびＵＥにおける処理回路は、送信と受信との間で切り替えるのに十分な時間を必要とするが、これは、一般に高速プロシージャであり、ガード期間サイズの要件に著しくは寄与しない。ダウンリンク−アップリンク切替えにおいて１つのガード期間があり、アップリンク−ダウンリンク切替えにおいて１つのガード期間がある。アップリンク−ダウンリンク切替えにおけるガード期間は、ＢＳおよびＵＥが受信と送信との間で切り替えることを可能にするのに十分な時間を与えるために必要とされるにすぎず、したがって、一般に公称であるので、アップリンク−ダウンリンク切替えにおけるそのようなガード期間は、簡潔のために本明細書では説明されない。
【０００３】
しかしながら、ダウンリンク−アップリンク切替えにおけるガード期間（ＧＰ）は、ＵＥが、ＵＬをスケジュールする（時間遅延）ＤＬグラントを受信することと、ＢＳにおいてフレームのＵＬ部分において信号が受信されるように、適切なタイミングアドバンスで（すなわち、伝搬遅延を補償して）ＵＬ信号を送信することとを可能にするために、十分に大きくなるべきである。実際、アップリンク−ダウンリンク切替えにおけるガード期間は、タイミングアドバンスにオフセットを加えて作成される。したがって、ＧＰは、セルエッジにおけるＵＥに向かう伝搬時間の２倍よりも大きくなるべきであり、そうでない場合、セル中のＵＬ信号とＤＬ信号とが干渉する。これのために、ＧＰは、一般に、より大きいセル（すなわち、より大きいサイト間距離）がより大きいＧＰを有し、その逆も同様であるように、セルサイズに依存するように選定される。
【０００４】
さらに、ガード期間は、第１のＢＳのＤＬ送信を第２のＢＳのＵＬ受信に入らせることなしに、セル間のある伝搬遅延を可能にすることによって、ＢＳ間のＤＬ−ＵＬ干渉を低減する。一般的なマクロネットワークでは、ＤＬ送信電力は、ＵＬ送信電力よりも２０ｄＢ程度大きくなることがあり、おそらく屋上より上で見通し内（ＬＯＳ）における基地局間のパスロスは、しばしば、（見通し外（ＮＬＯＳ）における）基地局と端末との間のパスロスよりもはるかに小さくなり得る。したがって、ＵＬが他のセルのＤＬによって干渉される、いわゆるクロスリンク干渉の場合、ＵＬ性能が深刻に劣化され得る。ＵＬとＤＬとの間の大きい送信電力差異および／または伝搬条件のために、クロスリンク干渉は、（ＤＬが同じキャリア上のＵＬに干渉する）同一チャネルの場合についてだけでなく、（あるキャリアのＤＬが隣接するキャリア上のＵＬに干渉する）隣接するチャネルの場合についても、システム性能に有害であり得る。これのために、ＴＤＤマクロネットワークは、一般に、同期および整合様式で動作され、ここで、シンボルタイミングが整合され、半静的ＴＤＤ  ＵＬ／ＤＬパターンが使用され、半静的ＴＤＤ  ＵＬ／ＤＬパターンは、アップリンク期間とダウンリンク期間とが同時に発生しないようにアップリンク期間とダウンリンク期間とを整合させることによって、ネットワーク（ＮＷ）中のすべてのセルについて同じとなる。その理由は、アップリンクとダウンリンクとの間の干渉を低減することである。一般に、隣接するＴＤＤキャリアを用いるオペレータも、隣接チャネルクロスリンク干渉を回避するために、それらのキャリアのＴＤＤ  ＵＬ／ＤＬパターンを同期させる。
【０００５】
ＢＳ間のＤＬ−ＵＬ干渉を回避するためにダウンリンク−アップリンク切替えにおいてＧＰを適用する原理が、一例として図１に示されており、ビクティムＢＳ（Ｖ）が、アグレッサＢＳ（Ａ）によって（少なくとも潜在的に）干渉されている。アグレッサはそのセル中のデバイスにＤＬ信号を送っているが、ＤＬ信号はビクティムＢＳにも達している。伝搬ロスは、そのセル中の（図に示されていない）別のＵＥから信号を受信することを試みている、Ａの信号からＶを保護するのに十分でない。信号は、距離（ｄ）を伝搬しており、伝搬遅延により、ＶにおけるＡの経験されたフレーム構造整合は、伝搬距離ｄに比例するτ秒、シフト／遅延される。図１からわかるように、アグレッサＢＳ（Ａ）のＤＬ部分が遅延されるが、そのＤＬ部分は、使用されるガード期間により、ビクティム（Ｖ）のＵＬ領域に入らない。したがって、この例では、システム設計はその目的を果たす。なお、アグレッサＤＬ信号は、減衰を受けるが、端末における送信電力と基地局における送信電力との差、ならびに基地局間リンクについての伝搬条件と端末−基地局間リンクについての伝搬条件との差により、受信されるビクティムＵＬ信号に対して極めて高くなり得る。
【０００６】
ビクティムおよびアグレッサという用語は、一般的なＴＤＤシステムがなぜそのまま設計されるかを示すために、ここで使用されるにすぎないことに留意されたい。チャネル相互関係がＢＳ間に存在するので、ビクティムは、アグレッサとして働くこともあり、その逆も同様であり、さらには同時に起こることもある。
【０００７】
新無線（Ｎｅｗ  Ｒａｄｉｏ：ＮＲ）フレーム構造
無線アクセス技術（ＲＡＴ）第３世代パートナーシッププロジェクト（３ＧＰＰ）次世代移動体無線通信システム（５Ｇ）または新無線（ＮＲ）は、使用事例の多様なセットおよび展開シナリオの多様なセットをサポートする。後者は、今日のＲＡＴ  Ｌｏｎｇ−Ｔｅｒｍ  Ｅｖｏｌｕｔｉｏｎ（ＬＴＥ）と同様の低周波数（たとえば、数百ＭＨｚ）と超高周波数（たとえば、数十ＧＨｚ単位のｍｍ波）の両方における展開を含む。
【０００８】
ＬＴＥと同様に、ＮＲは、（すなわち、ネットワークノード、たとえば、ｇＮＢ、ｅＮＢから、ユーザ機器（ＵＥ）への）ダウンリンクにおいて、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）を使用する。ネットワークノードは、本明細書では互換的に基地局と呼ばれることもある。したがって、アンテナポート上の基本ＮＲ物理リソースは、図２に示されているように時間周波数グリッドとして見られ得、１４シンボルスロット中のリソースブロック（ＲＢ）が示されている。リソースブロックは、周波数ドメインにおける１２個の連続サブキャリアに対応する。リソースブロックは、周波数ドメインにおいて、システム帯域幅の一端から０で開始して番号付けされる。各リソースエレメントは、１つのＯＦＤＭシンボル間隔中の１つのＯＦＤＭサブキャリアに対応する。
【０００９】
異なるサブキャリア間隔値がＮＲにおいてサポートされる。（異なるヌメロロジーとも呼ばれる）サポートされるサブキャリア間隔値は、Δｆ＝（１５×２α）ｋＨｚによって与えられ、ただし、α∈（０，１，２，３，４）である。Δｆ＝１５ｋＨｚは、ＬＴＥにおいても使用される、基本（または参照）サブキャリア間隔である。
【００１０】
時間ドメインでは、ＮＲにおけるダウンリンク送信およびアップリンク送信は、ＬＴＥと同様に、それぞれ１ｍｓの等しいサイズのサブフレームに編成されることになる。サブフレームは、等しい持続時間の複数のスロットまたはサブスロットにさらに分割され得る。サブキャリア間隔Δｆ＝（１５×２α）ｋＨｚについてのスロット長は、１／２αｍｓである。Δｆ＝１５ｋＨｚにおいてサブフレームごとに１つのスロットのみがあり、スロットは１４個のＯＦＤＭシンボルからなる。
【００１１】
ダウンリンク送信は動的にスケジュールされ、すなわち、ｇＮＢは、データがどのＵＥに送信されるべきであるか、およびデータが現在のダウンリンクスロット中のどのリソースブロック上で送信されるかに関するダウンリンク制御情報（ＤＣＩ）を各スロット中で送信する。この制御情報は、一般に、ＮＲにおいて各スロット中の最初の１つまたは２つのＯＦＤＭシンボル中で送信される。制御情報は、物理ダウンリンク制御チャネル（ＰＤＣＣＨ）上で搬送され、データは、物理ダウンリンク共有チャネル（ＰＤＳＣＨ）上で搬送される。ＵＥが最初にＰＤＣＣＨを検出および復号し、ＰＤＣＣＨが正常に復号された場合、ＵＥは、次いで、ＰＤＣＣＨ中の復号された制御情報に基づいて、対応するＰＤＳＣＨを復号することができる。
【００１２】
ＰＤＣＣＨおよびＰＤＳＣＨに加えて、ダウンリンクにおいて送信される他のチャネルおよび参照信号もある。
【００１３】
物理アップリンク共有チャネル（ＰＵＳＣＨ）上で搬送されるアップリンクデータ送信も、ＤＣＩを送信することによって、ネットワークノード、たとえば、ｇＮＢによって動的にスケジュールされる。ＴＤＤ動作の場合、（ＤＬ領域において送信される）ＤＣＩは、一般に、ＰＵＳＣＨがＵＬ領域におけるスロット中で送信されるように、スケジューリングオフセットを指示する。
【００１４】
ＴＤＤにおけるアップリンクダウンリンク設定
ＴＤＤでは、いくつかのサブフレーム／スロットがアップリンク送信について割り当てられ、いくつかのサブフレーム／スロットがダウンリンク送信について割り当てられる。ダウンリンクとアップリンクとの間の切替えは、（３ＧＰＰ  Ｌｏｎｇ  Ｔｅｒｍ  Ｅｖｏｌｕｔｉｏｎ（ＬＴＥ）における）いわゆるスペシャルサブフレーム、または（ＮＲにおける）フレキシブルスロット中で行われる。
【００１５】
ＬＴＥでは、７つの異なるアップリンクダウンリンク設定が提供され得、たとえば表１を参照されたい。
2021533682.tif 000003
【００１６】
ガード期間のサイズ（および、したがって、スペシャルサブフレーム中のダウンリンクパイロットタイムスロット（ＤｗＰＴＳ）（スペシャルサブフレーム中のダウンリンク送信）およびアップリンクパイロットタイムスロット（ＵｐＰＴＳ）（スペシャルサブフレーム中のアップリンク送信）についてのシンボルの数）も可能な選択のセットから設定され得る。
【００１７】
一方、ＮＲは、多くの異なるアップリンクダウンリンク設定を提供する。サブキャリア間隔に応じて、（各無線フレームが１０ｍｓの持続時間を有する）無線フレームごとに１０〜３２０個のスロットがあり得る。スロット中のＯＦＤＭシンボルは、（「Ｄ」と示された）「ダウンリンク」、（「Ｘ」と示された）「フレキシブル」、または（「Ｕ」と示された）「アップリンク」として分類される。ＴＤＤ設定が、以下のように、ＩＥ  ＴＤＤ−ＵＬ−ＤＬ−ＣｏｎｆｉｇＣｏｍｍｏｎを使用してＲＲＣ設定される場合、半静的ＴＤＤ  ＵＬ−ＤＬ設定が使用され得る。
ＴＤＤ−ＵＬ−ＤＬ−ＣｏｎｆｉｇＣｏｍｍｏｎ：：＝      ＳＥＱＵＥＮＣＥ｛
−−すべてのサブキャリア固有にわたって共通でなければならないＵＬ−ＤＬパターンにおける時間ドメイン境界を決定するために使用される参照ＳＣＳ
−−仮想キャリア、すなわち、データ送信のために使用する実際のサブキャリア間隔に依存しない。
−−値１５または３０ｋＨｚ（＜６ＧＨｚ）、６０または１２０ｋＨｚ（＞６ＧＨｚ）のみが適用可能である。
−−Ｌ１パラメータ「ｒｅｆｅｒｅｎｃｅ−ＳＣＳ」に対応する（３ＧＰＰ  ＴＳ３８．２１１、セクションＦＦＳ＿Ｓｅｃｔｉｏｎ参照）
ｒｅｆｅｒｅｎｃｅＳｕｂｃａｒｒｉｅｒＳｐａｃｉｎｇ    ＳｕｂｃａｒｒｉｅｒＳｐａｃｉｎｇ
−−ＤＬ−ＵＬパターンの周期性。Ｌ１パラメータ「ＤＬ−ＵＬ−ｔｒａｎｓｍｉｓｓｉｏｎ−ｐｅｒｉｏｄｉｃｉｔｙ」に対応する（３ＧＰＰ  ＴＳ３８．２１１、セクションＦＦＳ＿Ｓｅｃｔｉｏｎ参照）
ｄｌ−ＵＬ−ＴｒａｎｓｍｉｓｓｉｏｎＰｅｒｉｏｄｉｃｉｔｙ    ＥＮＵＭＥＲＡＴＥＤ｛ｍｓ０ｐ５，ｍｓ０ｐ６２５，ｍｓ１，ｍｓ１ｐ２５，ｍｓ２，ｍｓ２ｐ５，ｍｓ５，ｍｓ１０｝        ＯＰＴＩＯＮＡＬ，
−−各ＤＬ−ＵＬパターンの始まりにおける連続する完全なＤＬスロットの数。
−−Ｌ１パラメータ「ｎｕｍｂｅｒ−ｏｆ−ＤＬ−ｓｌｏｔｓ」に対応する（３３ＧＰＰ  ＴＳ８．２１１、表４．３．２−１参照）
ｎｒｏｆＤｏｗｎｌｉｎｋＳｌｏｔｓ    ＩＮＴＥＧＥＲ（０．．ｍａｘＮｒｏｆＳｌｏｔｓ）
−−（ｎｒｏｆＤｏｗｎｌｉｎｋＳｌｏｔｓから導出される）最後の完全なＤＬスロットに続くスロットの始まりにおける連続するＤＬシンボルの数。
−−フィールドがないかまたは解放されている場合、部分ダウンリンクスロットはない。
−−Ｌ１パラメータ「ｎｕｍｂｅｒ−ｏｆ−ＤＬ−ｓｙｍｂｏｌｓ−ｃｏｍｍｏｎ」に対応する（３ＧＰＰ  ＴＳ３８．２１１、セクションＦＦＳ＿Ｓｅｃｔｉｏｎ参照）。
ｎｒｏｆＤｏｗｎｌｉｎｋＳｙｍｂｏｌｓ    ＩＮＴＥＧＥＲ（０．．ｍａｘＮｒｏｆＳｙｍｂｏｌｓ−１）
−−各ＤＬ−ＵＬパターンの終わりにおける連続する完全なＵＬスロットの数。
−−Ｌ１パラメータ「ｎｕｍｂｅｒ−ｏｆ−ＵＬ−ｓｌｏｔｓ」に対応する（３ＧＰＰ  ＴＳ３８．２１１、表４．３．２−１参照）
ｎｒｏｆＵｐｌｉｎｋＳｌｏｔｓ    ＩＮＴＥＧＥＲ（０．．ｍａｘＮｒｏｆＳｌｏｔｓ），
−−（ｎｒｏｆＵｐｌｉｎｋＳｌｏｔｓから導出される）最初の完全なＵＬスロットに先行するスロットの終わりにおける連続するＵＬシンボルの数。
−−フィールドがないかまたは解放されている場合、部分アップリンクスロットはない。
−−Ｌ１パラメータ「ｎｕｍｂｅｒ−ｏｆ−ＵＬ−ｓｙｍｂｏｌｓ−ｃｏｍｍｏｎ」に対応する（３ＧＰＰ  ＴＳ３８．２１１、セクションＦＦＳ＿Ｓｅｃｔｉｏｎ参照）
ｎｒｏｆＵｐｌｉｎｋＳｙｍｂｏｌｓ    ＩＮＴＥＧＥＲ（０．．ｍａｘＮｒｏｆＳｙｍｂｏｌｓ−１）
【００１８】
代替的に、スロットフォーマットは、ＤＣＩフォーマット２＿０で伝達されるスロットフォーマットインジケータ（ＳＦＩ）で動的に指示され得る。ＮＲにおいて動的ＴＤＤ設定が使用されるのか半静的ＴＤＤ設定が使用されるのかにかかわらず、ＵＬスロットおよびＤＬスロットの数、ならびにガード期間（たとえば、（１つまたは複数の）フレキシブルスロット中のＵＬシンボルおよびＤＬシンボルの数）は、ＴＤＤ周期性内でほとんど任意に設定され得る。これは、極めてフレキシブルなアップリンクダウンリンク設定を可能にする。
【００１９】
大気ダクティング（Ａｔｍｏｓｐｈｅｒｉｃ  Ｄｕｃｔｉｎｇ）
いくつかの気象条件では、および世界のいくつかの地域では、ダクティング現象が大気中で起こることがある。ダクトの出現は、たとえば温度および湿度に依存し、ダクトが存在しなかった場合よりも著しく長い距離を信号が伝搬するのを助けるように、信号を「チャネリング」することが可能であるように現れることがある。大気ダクトは、下層大気（対流圏）の屈折度の急速な減少が発生する層である。このようにして、大気ダクトは、空間中へ放射するのではなく、ダクティング層中の伝搬する信号を捕捉することができる。したがって、信号エネルギーの大部分は、導波路として働くダクティング層において伝搬する。したがって、捕捉された信号は、比較的低いパスロスで、時々見通し内伝搬の場合よりもさらに低いパスロスで、見通し外（ｂｅｙｏｎｄ−ｌｉｎｅ−ｏｆ−ｓｉｇｈｔ）距離を通って伝搬することができる。ダクティングイベントは、一般に一時的であり、２、３分から数時間までの持続時間を有することがある。
【００２０】
ＴＤＤシステム設計の知識と大気ダクトの存在とを組み合わせると、アグレッサＢＳがビクティムＢＳに干渉することがある図１中の距離ｄは、大幅に増加され得る。その現象は、いくつかの条件下で、世界のいくつかの部分において現れているにすぎないので、これは、一般に、不対スペクトルを使用するセルラシステムの設計において考慮されていない。その暗示は、ＤＬ送信が干渉（Ｉ）としてＵＬ領域に突然入ることがあることであり、これは、一例として図３に示されている。
【００２１】
図３は単一の無線リンクを示すが、大気ダクティングが発生するとき、ＢＳは数千個のＢＳによって干渉されることがある。アグレッサが近いほど、伝搬遅延は短くなり、干渉は強くなる。したがって、ビクティムＢＳにおいて経験される干渉は、一般に、たとえば、図４に示されているように、傾斜特性を有する。
【００２２】
ＢＳ間の干渉を検出する１つの方法は、ビクティムＢＳ（すなわち、大気ダクティングにより干渉されていることを検出したＢＳ）が、アグレッサＢＳによって検出され得る固有の参照信号を送ることである。アグレッサＢＳは、この場合、干渉状況を回避するために、その送信を適応させることができる。１つのそのような適応は、たとえば、そのダウンリンク送信をブランキングするか、またはそのダウンリンク送信の持続時間を低減し、ガード期間を効果的に増加させることである。
【００２３】
チャネル相互関係により、アグレッサＢＳが、同様に、他のＢＳ送信のビクティムでもある可能性があることに留意されたい。
【００２４】
異なるガード期間が、異なるセルにおいて使用される場合、アグレッサＢＳおよびビクティムＢＳが、それ自体のセル以外の他のセルにおいて適用されたガード期間の知識を有しないと仮定すると、たとえばＤＬ送信の最後のシンボル中で送信された参照信号を識別するアグレッサＢＳは、ビクティムがどの程度まで干渉されているかを理解することができない。
【００２５】
図５からわかるように、参照信号（Ｒ）が発生するＵＬフレームにおけるポイント（垂直矢印）は、（異なるガード期間／スペシャルサブフレーム設定／フレキシブルスロット設定を適用するので）どの基地局が干渉しているかに応じて異なる位置にあり、したがって、両方に一意に知られていない。上記で説明されたように、アグレッサおよびビクティムという用語は、ここでは、（同時に対称トラフィックを仮定すると）どちらのＢＳもビクティムおよびアグレッサとして働くので、やや紛らわしいことがあるが、そのネーミングは、一貫性のために前の例から保たれていることに留意されたい。
【発明の概要】
【００２６】
いくつかの実施形態は、時分割複信（ＴＤＤ）ネットワークにおけるネットワークノード間干渉の最小化のための方法および装置を有利に提供する。
【００２７】
本開示の一態様によれば、リモート干渉管理（ｒｅｍｏｔｅ  ｉｎｔｅｒｆｅｒｅｎｃｅ  ｍａｎａｇｅｍｅｎｔ）のためのネットワークノードにおける方法が提供される。本方法は、通信信号スロット内の参照信号についての位置を指示する情報を受信することであって、位置が、ダウンリンク−アップリンク切替えに関連する参照ポイントに対して指示される、情報を受信することを含む。本方法は、受信された情報に少なくとも部分的に基づいて、参照信号を送信することと参照信号を受信することとのうちの少なくとも１つを含む。本方法は、受信された参照信号と参照信号の位置を指示する受信された情報とのうちの少なくとも１つに少なくとも部分的に基づいて、リモート干渉が存在するかどうかを決定することを含む。
【００２８】
この態様のいくつかの実施形態では、本方法は、受信された参照信号と参照信号の位置を指示する受信された情報とのうちの少なくとも１つに少なくとも部分的に基づいて、リモート干渉の程度を決定することをさらに含む。この態様のいくつかの実施形態では、情報は、参照信号を物理リソースにマッピングすることによって、参照信号の位置を指示する。この態様のいくつかの実施形態では、情報は、参照信号についての時間オフセットを指示する。この態様のいくつかの実施形態では、参照信号の位置を指示する情報は、運用アドミニストレーション保守（ＯＡＭ）シグナリングを介して受信される。この態様のいくつかの実施形態では、参照信号は、第２のネットワークノードから受信される。この態様のいくつかの実施形態では、位置は固定位置である。この態様のいくつかの実施形態では、参照ポイントは、ガード期間の開始である。この態様のいくつかの実施形態では、ダウンリンク−アップリンク切替えは、時分割複信（ＴＤＤ）設定に対応する。この態様のいくつかの実施形態では、指示された位置は、どの直交周波数分割多重（ＯＦＤＭ）シンボル中で参照信号が送信されるべきであるかである。
【００２９】
この態様のいくつかの実施形態では、指示された位置は、最も小さいガード期間の開始の前の最後のダウンリンク（ＤＬ）シンボルに対応する。この態様のいくつかの実施形態では、本方法は、受信された参照信号と参照信号の位置を指示する受信された情報とに少なくとも部分的に基づいて、ネットワークノードが第２のネットワークノードへの干渉を引き起こしている程度を決定することと、ネットワークノードが第２のネットワークノードへの干渉を引き起こしている決定された程度に少なくとも部分的に基づいて、ネットワークノードのガード期間を増加させることとをさらに含む。この態様のいくつかの実施形態では、本方法は、参照信号がその上で受信されるシンボルと参照信号がその上で送信されたシンボルとの間の差がネットワークノードのガード期間よりも大きいかどうかを決定することであって、指示された位置は、参照信号がその上で送信されたシンボルを指示する、差がネットワークノードのガード期間よりも大きいかどうかを決定することをさらに含む。この態様のいくつかの実施形態では、本方法は、差がガード期間よりも大きい場合、ガード期間を増加させることをさらに含む。
【００３０】
本開示の第２の態様によれば、無線デバイス（ＷＤ）と通信するように設定されたネットワークノードが提供される。ネットワークノードは処理回路を含む。処理回路は、ネットワークノードに、通信信号スロット内の参照信号についての位置を指示する情報を受信することであって、位置が、ダウンリンク−アップリンク切替えに関連する参照ポイントに対して指示される、情報を受信することを行わせるように設定される。処理回路は、ネットワークノードに、受信された情報に少なくとも部分的に基づいて、参照信号を送信することと参照信号を受信することとのうちの少なくとも１つを行わせるように設定される。処理回路は、ネットワークノードに、受信された参照信号と参照信号の位置を指示する受信された情報とのうちの少なくとも１つに少なくとも部分的に基づいて、リモート干渉が存在するかどうかを決定することを行わせるように設定される。
【００３１】
この態様のいくつかの実施形態では、処理回路は、ネットワークノードに、受信された参照信号と参照信号の位置を指示する受信された情報とのうちの少なくとも１つに少なくとも部分的に基づいて、リモート干渉の程度を決定することを行わせるようにさらに設定される。この態様のいくつかの実施形態では、情報は、参照信号を物理リソースにマッピングすることによって、参照信号の位置を指示する。この態様のいくつかの実施形態では、情報は、参照信号についての時間オフセットを指示する。この態様のいくつかの実施形態では、参照信号の位置を指示する情報は、運用アドミニストレーション保守（ＯＡＭ）シグナリングを介して受信される。この態様のいくつかの実施形態では、参照信号は、第２のネットワークノードから受信される。この態様のいくつかの実施形態では、位置は固定位置である。
【００３２】
この態様のいくつかの実施形態では、参照ポイントは、ガード期間の開始である。この態様のいくつかの実施形態では、ダウンリンク−アップリンク切替えは、時分割複信（ＴＤＤ）設定に対応する。この態様のいくつかの実施形態では、指示された位置は、どの直交周波数分割多重（ＯＦＤＭ）シンボル中で参照信号が送信されるべきであるかである。この態様のいくつかの実施形態では、指示された位置は、最も小さいガード期間の開始の前の最後のダウンリンク（ＤＬ）シンボルに対応する。この態様のいくつかの実施形態では、処理回路は、ネットワークノードに、受信された参照信号と参照信号の位置を指示する受信された情報とに少なくとも部分的に基づいて、ネットワークノードが第２のネットワークノードへの干渉を引き起こしている程度を決定することと、ネットワークノードが第２のネットワークノードへの干渉を引き起こしている決定された程度に少なくとも部分的に基づいて、ネットワークノードのガード期間を増加させることとのうちの少なくとも１つを行わせるようにさらに設定される。この態様のいくつかの実施形態では、処理回路は、ネットワークノードに、参照信号がその上で受信されるシンボルと参照信号がその上で送信されたシンボルとの間の差がネットワークノードのガード期間よりも大きいかどうかを決定することであって、指示された位置は、参照信号がその上で送信されたシンボルを指示する、差がネットワークノードのガード期間よりも大きいかどうかを決定することを行わせるようにさらに設定される。この態様のいくつかの実施形態では、処理回路は、ネットワークノードに、差がガード期間よりも大きい場合、ガード期間を増加させることを行わせるようにさらに設定される。
【００３３】
添付の図面とともに考慮されるとき、以下の詳細な説明を参照することによって、本実施形態のより完全な理解、ならびにそれらの付随する利点および特徴がより容易に理解されよう。
【図面の簡単な説明】
【００３４】
【図１】例示的なＴＤＤガード期間設計を示す図である。
【図２】例示的なＮＲ物理リソースグリッドを示す図である。
【図３】ＵＬ領域へのＤＬ干渉の一例を示す図である。
【図４】ＤＬ−ＵＬ干渉の場合の干渉特性の一例を示す図である。
【図５】異なるガード期間が干渉ＢＳ間で使用されることの一例を示す図である。
【図６】本開示における原理による、中間ネットワークを介してホストコンピュータに接続された通信システムを示す例示的なネットワークアーキテクチャの概略図である。
【図７】本開示のいくつかの実施形態による、少なくとも部分的に無線接続上で、ネットワークノードを介して無線デバイスと通信するホストコンピュータのブロック図である。
【図８】本開示のいくつかの実施形態による、ホストコンピュータとネットワークノードと無線デバイスとを含む通信システムにおいて実装される例示的な方法を示すフローチャートである。
【図９】本開示のいくつかの実施形態による、ホストコンピュータとネットワークノードと無線デバイスとを含む通信システムにおいて実装される例示的な方法を示すフローチャートである。
【図１０】本開示のいくつかの実施形態による、ホストコンピュータとネットワークノードと無線デバイスとを含む通信システムにおいて実装される例示的な方法を示すフローチャートである。
【図１１】本開示のいくつかの実施形態による、ホストコンピュータとネットワークノードと無線デバイスとを含む通信システムにおいて実装される例示的な方法を示すフローチャートである。
【図１２】本開示のいくつかの実施形態による、ネットワークノードにおける例示的なプロセスのフローチャートである。
【図１３】本開示のいくつかの実施形態による、送信機ネットワークノード（ｔｒａｎｓｍｉｔｔｅｒ  ｎｅｔｗｏｒｋ  ｎｏｄｅ）における例示的なプロセスのフローチャートである。
【図１４】本開示のいくつかの実施形態による、受信機ネットワークノード（ｒｅｃｅｉｖｅｒ  ｎｅｔｗｏｒｋ  ｎｏｄｅ）における例示的なプロセスのフローチャートである。
【図１５】本開示のいくつかの実施形態による、異なるスペシャルサブフレーム設定にかかわらず依存する固定マッピングを示す図である。
【図１６】本開示のいくつかの実施形態による、異なるスペシャルサブフレーム設定に応じて、オフセットの異なる組合せを使用する、適応マッピングの一例を示す図である。
【図１７】本開示のいくつかの実施形態による、異なるスペシャルサブフレーム設定に応じて、異なる周波数サブバンドを使用する、適応マッピングの一例を示す図である。
【図１８】本開示のいくつかの実施形態による、異なるスペシャルサブフレーム設定のための異なる参照シーケンスを示す図である。
【発明を実施するための形態】
【００３５】
いくつかの実施形態は、参照信号に対応する情報を受信機ネットワークノードに通信するための方法および装置を有利に提供し、情報は、受信機ネットワークノードが送信機ネットワークノードへの干渉を引き起こしている程度を指示する。
【００３６】
一実施形態では、ネットワーク（の部分）への干渉を引き起こすことを回避するために、受信機ネットワークノードがその送信／受信時間構造をどのように調節するかを決定することができるように、受信機ネットワークノードに知識が提供される。
【００３７】
一実施形態では、送信／受信時間構造の調節は、時間フレーム構造における必要とされるガード期間サイズおよび位置を決定することである。
【００３８】
一実施形態では、受信機ネットワークノードへの知識は、参照信号の検出の結果として提供される。
【００３９】
いくつかの実施形態では、参照信号は、少なくとも２つの主要な実施形態を使用して設計され得、これは、詳細な説明のセクションにおいてさらに詳述される。
【００４０】
少なくとも２つの主要な実施形態のうちの第１の実施形態では、物理リソース上への参照信号のマッピングが使用され、マッピングは、参照信号が時間的にどこで送信されるかに応じて異なる。時間参照は、ここでは、全体的フレーム構造に対する相対参照または絶対参照であり得、したがって、参照信号マッピングが検出されるとき、参照信号が送信機ネットワークノードにおいて送信されたシンボルも、受信機ネットワークノードに知られる。
【００４１】
少なくとも２つの主要な実施形態のうちの第２の実施形態では、参照信号構造が使用され、その結果、参照信号の検出は、参照信号がどの相対時間参照または絶対時間参照において送られるかに関する情報を搬送することになる。
【００４２】
したがって、本開示における原理のうちの少なくともいくつかによれば、別のビクティムＢＳのＵＬにおいてアグレッサＢＳのＤＬで干渉するアグレッサＢＳは、（たとえば、運用アドミニストレーション保守（ＯＡＭ）またはバックホールシグナリングソリューションを通してシグナリングされる）ビクティム基地局のフレーム構造の詳細を知らずに、干渉がどの程度まで発生するかを理解することができる。
【００４３】
干渉問題は大気ダクティングが原因であるように説明されるが、同じ状況は、小さすぎるガード期間が展開のために選択されているネットワークにおいて発生することがあることに留意されたい。したがって、本開示におけるソリューションは、この場合にも適用可能であり得るが、一般的なシナリオと見なされない。
【００４４】
例示的な実施形態について詳細に説明する前に、実施形態は、主に、時分割複信（ＴＤＤ）ネットワークにおけるＢＳ間干渉の最小化に関係する、装置構成要素と処理ステップとの組合せ中に存在することに留意されたい。それに応じて、本明細書の説明の利益を有する当業者に容易に明らかになるであろう詳細で本開示を不明瞭にしないように、適切な場合、図面において構成要素が従来のシンボルによって表され、実施形態を理解することに関係するそれらの具体的な詳細のみを示す。同様の番号は、説明全体にわたって同様のエレメントを指す。
【００４５】
本明細書で使用される、「第１」および「第２」、「上部」および「下部」などの関係語は、単に、あるエンティティまたはエレメントを別のエンティティまたはエレメントと区別するために、必ずしも、そのようなエンティティまたはエレメント間の何らかの物理的または論理的関係または順序を必要とすることまたは暗示することなしに、使用され得る。本明細書で使用される専門用語は、特定の実施形態を説明するためのものにすぎず、本明細書で説明される概念を限定するものではない。本明細書で使用される単数形「ａ」、「ａｎ」および「ｔｈｅ」は、文脈が別段に明確に指示しない限り、複数形をも含むものとする。さらに、本明細書で使用される「備える、含む（ｃｏｍｐｒｉｓｅｓ）」、「備える、含む（ｃｏｍｐｒｉｓｉｎｇ）」、「含む（ｉｎｃｌｕｄｅｓ）」、および／または「含む（ｉｎｃｌｕｄｉｎｇ）」という用語は、述べられた特徴、整数、ステップ、動作、エレメント、および／または構成要素の存在を指定するが、１つまたは複数の他の特徴、整数、ステップ、動作、エレメント、構成要素、および／またはそれらのグループの存在または追加を排除しないことを理解されよう。
【００４６】
本明細書で説明される実施形態では、結合用語（ｊｏｉｎｉｎｇ  ｔｅｒｍ）「と通信している（ｉｎ  ｃｏｍｍｕｎｉｃａｔｉｏｎ  ｗｉｔｈ）」などは、たとえば、物理的な接触、誘導、電磁放射、無線シグナリング、赤外線シグナリングまたは光シグナリングによって達成され得る、電気またはデータ通信を指示するために使用され得る。複数の構成要素が相互動作し得ること、ならびに修正および変形が、電気およびデータ通信を達成することについて可能であることを、当業者は諒解されよう。
【００４７】
本明細書で説明されるいくつかの実施形態では、「結合された」、「接続された」などという用語は、必ずしも直接とは限らないが、接続を指示するために本明細書で使用され得、有線接続および／または無線接続を含み得る。
【００４８】
この本開示では、ネットワークノードは基地局とも呼ばれる。これは、より一般的な用語であり、ＵＥおよび／または別のネットワークノードと通信する任意のタイプの無線ネットワークノードまたは任意のネットワークノードに対応することができる。ネットワークノードの例は、ノードＢ、基地局（ＢＳ）、マルチスタンダード無線（ＭＳＲ）ＢＳなどのＭＳＲ無線ノード、ｅノードＢ、ｇノードＢ（ｇＮＢ）、ＭｅＮＢ、ＳｅＮＢ、ネットワークコントローラ、無線ネットワークコントローラ（ＲＮＣ）、基地局コントローラ（ＢＳＣ）、路側ユニット（ＲＳＵ）、リレーノード、無線アクセスバックホール統合伝送（ＩＡＢ）ノード、リレーを制御するドナーノード、基地トランシーバ局（ＢＴＳ）、アクセスポイント（ＡＰ）、送信ポイント、送信ノード、リモートラジオユニット（ＲＲＵ）、リモート無線ヘッド（ＲＲＨ）、分散アンテナシステム（ＤＡＳ）におけるノード、コアネットワークノード（たとえば、モバイルスイッチングセンタ（ＭＳＣ）、移動管理エンティティ（ＭＭＥ）など）、運用保守（Ｏ＆Ｍ）、運用サポートシステム（ＯＳＳ）、自己組織化ネットワーク（ＳＯＮ）、測位ノード（たとえば、エボルブドサービングモバイルロケーションセンタ（Ｅ−ＳＭＬＣ））などである。
【００４９】
無線アクセス技術またはＲＡＴという用語は、任意のＲＡＴ、たとえば、ユニバーサル地上波無線アクセス（ＵＴＲＡ）、拡張ＵＴＲＡ（Ｅ−ＵＴＲＡ）、狭帯域モノのインターネット（ＮＢ−ＩｏＴ）、ＷｉＦｉ、Ｂｌｕｅｔｏｏｔｈ、次世代ＲＡＴ（ＮＲ）、４Ｇ、５Ｇなどを指し得る。第１のノードおよび第２のノードのいずれも、単一のＲＡＴまたは複数のＲＡＴをサポートすることが可能であり得る。
【００５０】
本明細書で使用される参照信号という用語は、任意の物理信号または物理チャネルであり得る。ダウンリンク参照信号の例は、１次同期信号（ＰＳＳ）、２次同期信号（ＳＳＳ）、セル固有参照信号（ＣＲＳ）、測位参照信号（ＰＲＳ）、チャネル状態情報参照信号（ＣＳＩ−ＲＳ）、復調用参照信号（ＤＭＲＳ）、狭帯域参照信号（ＮＲＳ）、狭帯域ＰＳＳ（ＮＰＳＳ）、狭帯域ＳＳＳ（ＮＳＳＳ）、同期信号（ＳＳ）、マルチメディアブロードキャストマルチキャストサービス単一周波数ネットワーク参照信号（ＭＢＳＦＮ  ＲＳ）などである。アップリンク参照信号の例は、たとえば、サウンディング参照信号（ＳＲＳ）、ＤＭＲＳなどである。
【００５１】
いくつかの実施形態では、無線デバイス（ＷＤ）またはユーザ機器（ＵＥ）という非限定的な用語が互換的に使用される。本明細書のＷＤは、無線デバイス（ＷＤ）など、無線信号を介してネットワークノードまたは別のＷＤと通信することが可能な任意のタイプの無線デバイスであり得る。ＷＤはまた、無線通信デバイス、ターゲットデバイス、デバイスツーデバイス（Ｄ２Ｄ）ＷＤ、マシン型ＷＤまたはマシンツーマシン（Ｍ２Ｍ：ｍａｃｈｉｎｅ  ｔｏ  ｍａｃｈｉｎｅ）通信が可能なＷＤ、低コストおよび／または低複雑度ＷＤ、ＷＤを装備したセンサー、タブレット、モバイル端末、スマートフォン、ラップトップ組込み装備（ＬＥＥ）、ラップトップ搭載機器（ＬＭＥ）、ＵＳＢドングル、顧客構内機器（ＣＰＥ）、モノのインターネット（ＩｏＴ）デバイス、または狭帯域ＩｏＴ（ＮＢ−ＩＯＴ）デバイスなどであり得る。
【００５２】
また、いくつかの実施形態では、「無線ネットワークノード」という一般用語が使用される。無線ネットワークノードは、基地局、無線基地局、基地トランシーバ局、基地局コントローラ、ネットワークコントローラ、ＲＮＣ、エボルブドノードＢ（ｅＮＢ）、ノードＢ、ｇＮＢ、マルチセル／マルチキャスト協調エンティティ（ＭＣＥ）、リレーノード、ＩＡＢノード、アクセスポイント、無線アクセスポイント、リモートラジオユニット（ＲＲＵ）、リモート無線ヘッド（ＲＲＨ）のいずれかを備え得る、任意の種類の無線ネットワークノードであり得る。
【００５３】
本開示では、たとえば、３ＧＰＰ  ＬＴＥおよび／または新無線（ＮＲ）など、１つの特定の無線システムからの専門用語が使用され得るが、これは、本開示の範囲を上述のシステムのみに限定するものと見なされるべきでないことに留意されたい。限定はしないが、広帯域符号分割多元接続（ＷＣＤＭＡ）、マイクロ波アクセスのための世界的相互運用性（ＷｉＭａｘ）、ウルトラモバイルブロードバンド（ＵＭＢ）、および汎欧州デジタル移動電話方式（ＧＳＭ）を含む、他の無線システムも、本開示内でカバーされるアイデアを活用することから恩恵を受け得る。
【００５４】
無線デバイスまたはネットワークノードによって実施されるものとして本明細書で説明される機能が、複数の無線デバイスおよび／またはネットワークノード上で分散され得ることにさらに留意されたい。言い換えれば、本明細書で説明されるネットワークノードおよび無線デバイスの機能は、単一の物理デバイスによる実施に限定されず、実際は、いくつかの物理デバイスの間で分散され得ると考えられる。
【００５５】
別段に規定されていない限り、本明細書で使用される（技術用語および科学用語を含む）すべての用語は、本開示が属する技術の当業者によって通常理解されるものと同じ意味を有する。本明細書で使用される用語は、本明細書および関連技術の文脈におけるそれらの用語の意味に従う意味を有するものとして解釈されるべきであり、明確にそのように本明細書で規定されていない限り、理想的なまたは過度に形式的な意味において解釈されないことをさらに理解されよう。
【００５６】
いくつかの実施形態は、ネットワーク（の部分）への干渉を引き起こすことを回避するために、受信機ネットワークノードがその送信／受信時間構造をどのように調節するかを決定することができるように、受信機ネットワークノードに知識を提供する。
【００５７】
図面に戻ると、同様のエレメントが同様の参照番号によって参照されており、図６では、一実施形態による、無線アクセスネットワークなどのアクセスネットワーク１２とコアネットワーク１４とを備える、ＬＴＥおよび／またはＮＲ（５Ｇ）などの規格をサポートし得る３ＧＰＰタイプセルラネットワークなど、通信システム１０の概略図が示されている。アクセスネットワーク１２は、各々が、対応する（まとめてカバレッジエリア１８と呼ばれる）カバレッジエリア１８ａ、１８ｂ、１８ｃを規定する、ＮＢ、ｅＮＢ、ｇＮＢまたは他のタイプの無線アクセスポイントなど、（まとめてネットワークノード１６と呼ばれる）複数のネットワークノード１６ａ、１６ｂ、１６ｃを備える。各ネットワークノード１６ａ、１６ｂ、１６ｃは、有線接続または無線接続２０上でコアネットワーク１４に接続可能である。カバレッジエリア１８ａ中に位置する第１の無線デバイス（ＷＤ）２２ａが、対応するネットワークノード１６ｃに無線で接続するように設定されるか、または対応するネットワークノード１６ｃによってページングされるように設定される。カバレッジエリア１８ｂ中の第２のＷＤ２２ｂが、対応するネットワークノード１６ａに無線で接続可能である。この例では（まとめて無線デバイス２２と呼ばれる）複数のＷＤ２２ａ、２２ｂが示されているが、開示される実施形態は、唯一のＷＤがカバレッジエリア中にある状況、または、唯一のＷＤが、対応するネットワークノード１６に接続している状況に、等しく適用可能である。便宜上、２つのＷＤ２２および３つのネットワークノード１６のみが示されているが、通信システムは、より多くのＷＤ２２およびネットワークノード１６を含み得ることに留意されたい。
【００５８】
また、ＷＤ２２が、２つ以上のネットワークノード１６および２つ以上のタイプのネットワークノード１６と同時通信しており、ならびに／またはそれらと別々に通信するように設定され得ると考えられる。たとえば、ＷＤ２２は、ＬＴＥをサポートするネットワークノード１６およびＮＲをサポートする同じまたは異なるネットワークノード１６とのデュアルコネクティビティを有することができる。一例として、ＷＤ２２は、ＬＴＥ／Ｅ−ＵＴＲＡＮのためのｅＮＢおよびＮＲ／ＮＧ−ＲＡＮのためのｇＮＢと通信していることがある。
【００５９】
通信システム１０は、それ自体、ホストコンピュータ２４に接続され得、ホストコンピュータ２４は、スタンドアロンサーバ、クラウド実装サーバ、分散サーバのハードウェアおよび／またはソフトウェアにおいて、あるいはサーバファーム中の処理リソースとして具現され得る。ホストコンピュータ２４は、サービスプロバイダの所有または制御下にあり得るか、あるいはサービスプロバイダによってまたはサービスプロバイダの代わりに動作され得る。通信システム１０とホストコンピュータ２４との間の接続２６、２８が、コアネットワーク１４からホストコンピュータ２４まで直接延び得るか、または随意の中間ネットワーク３０を介して延び得る。中間ネットワーク３０は、パブリックネットワーク、プライベートネットワーク、またはホストされたネットワークのうちの１つ、またはそれらのうちの２つ以上の組合せであり得る。中間ネットワーク３０は、もしあれば、バックボーンネットワークまたはインターネットであり得る。いくつかの実施形態では、中間ネットワーク３０は、２つまたはそれ以上のサブネットワーク（図示せず）を備え得る。
【００６０】
図６の通信システムは、全体として、接続されたＷＤ２２ａ、２２ｂのうちの１つとホストコンピュータ２４との間のコネクティビティを可能にする。コネクティビティは、オーバーザトップ（ＯＴＴ）接続として説明され得る。ホストコンピュータ２４および接続されたＷＤ２２ａ、２２ｂは、アクセスネットワーク１２、コアネットワーク１４、任意の中間ネットワーク３０および可能なさらなるインフラストラクチャ（図示せず）を媒介として使用して、ＯＴＴ接続を介して、データおよび／またはシグナリングを通信するように設定される。ＯＴＴ接続は、ＯＴＴ接続が通過する、参加する通信デバイスのうちの少なくともいくつかが、アップリンクおよびダウンリンク通信のルーティングを認識していないという点で、透過的であり得る。たとえば、ネットワークノード１６が、接続されたＷＤ２２ａにフォワーディング（たとえば、ハンドオーバ）されるべき、ホストコンピュータ２４から発生したデータを伴う着信ダウンリンク通信の過去のルーティングに関して、通知されないことがあり、または通知される必要がない。同様に、ネットワークノード１６は、ＷＤ２２ａから発生してホストコンピュータ２４に向かう発信アップリンク通信の将来ルーティングに気づいている必要がない。
【００６１】
一実施形態では、ネットワークノード１６は、参照信号に対応する情報を受信機ネットワークノード１６ａに通信するように設定された生成器ユニット３２を含むように設定された送信機ネットワークノード１６ｃであり、参照信号に対応する情報は、受信機ネットワークノード１６ａが送信機ネットワークノード１６ｃへの干渉を引き起こしている程度を指示する。いくつかの実施形態では、情報は、どの直交周波数分割多重（ＯＦＤＭ）シンボル中で参照信号が送信されるかを指示する。いくつかの実施形態では、生成器ユニット３２は、参照信号を受信機ネットワークノード１６ａに通信するようにさらに設定される。いくつかの実施形態では、通信された参照信号、通信された情報、および受信機ネットワークノード１６ａのガード期間（ＧＰ）中のシンボルの数は、受信機ネットワークノード１６ａが送信機ネットワークノード１６ｃへの干渉を引き起こしている程度を受信機ネットワークノード１６ａが決定することを可能にする。いくつかの実施形態では、情報は、参照信号のスペシャルサブフレーム設定を指示する。いくつかの実施形態では、情報は、参照信号に関連する、ガード期間の長さ、少なくとも１つのダウンリンク（ＤＬ）シンボル、および少なくとも１つのアップリンク（ＵＬ）シンボルのうちの少なくとも１つを指示する。いくつかの実施形態では、生成器ユニット３２は、あらかじめ規定されたシーケンスを選択および通信するようにさらに設定されることによって、参照信号に対応する情報を受信機ネットワークノード１６ａに通信するようにさらに設定され、あらかじめ規定されたシーケンスは、参照信号のスペシャルサブフレーム設定と、参照信号に関連するガード期間長と、参照信号がその中で送信されるスロット内のダウンリンク（ＤＬ）シンボルの数とのうちの少なくとも１つを指示する。
【００６２】
別の実施形態によれば、ネットワークノード１６は、受信機ネットワークノード１６ａとして設定され、送信機ネットワークノード１６ｃから参照信号に対応する情報を受信することと、参照信号に対応する受信された情報に少なくとも部分的に基づいて、受信機ネットワークノード１６ａが送信機ネットワークノード１６ｃへの干渉を引き起こしている程度を決定することとを行うように設定された決定器ユニット３４を含む。いくつかの実施形態では、決定器ユニット３４は、受信機ネットワークノード１６ａが送信機ネットワークノード１６ｃへの干渉を引き起こしている決定された程度に基づいて、ガード期間を増加させるようにさらに設定される。いくつかの実施形態では、決定器ユニット３４は、送信機ネットワークノード１６ｃから参照信号を受信するようにさらに設定される。いくつかの実施形態では、決定器ユニット３４は、受信された参照信号のアップリンクシンボルと参照信号がその上で送信された既知のシンボルとの間の差がガード期間よりも大きいかどうかを決定するようにさらに設定されることによって、受信機ネットワークノード１６ａが送信機ネットワークノード１６ｃへの干渉を引き起こしている程度を決定するように設定される。いくつかの実施形態では、決定器ユニット３４は、差がガード期間よりも大きい場合、ガード期間を増加させることを行うようにさらに設定される。いくつかの実施形態では、受信された情報は、どの直交周波数分割多重（ＯＦＤＭ）シンボル中で参照信号が送信されるかを指示する。いくつかの実施形態では、受信された情報は、参照信号のスペシャルサブフレーム設定を指示する。いくつかの実施形態では、受信された情報は、参照信号に関連する、ガード期間の長さ、少なくとも１つのダウンリンク（ＤＬ）シンボル、および少なくとも１つのアップリンク（ＵＬ）シンボルのうちの少なくとも１つを指示する。
【００６３】
次に、一実施形態による、前の段落において説明されたＷＤ２２、ネットワークノード１６およびホストコンピュータ２４の例示的な実装形態が、図７を参照しながら説明される。通信システム１０では、ホストコンピュータ２４は、通信システム１０の異なる通信デバイスのインターフェースとの有線接続または無線接続をセットアップおよび維持するように設定された通信インターフェース４０を含む、ハードウェア（ＨＷ）３８を備える。ホストコンピュータ２４は、記憶能力および／または処理能力を有し得る、処理回路４２をさらに備える。処理回路４２は、プロセッサ４４とメモリ４６とを含み得る。詳細には、中央処理ユニットなどのプロセッサおよびメモリに加えて、またはそれらの代わりに、処理回路４２は、処理および／または制御のための集積回路、たとえば、命令を実行するように適応された、１つまたは複数のプロセッサおよび／またはプロセッサコアおよび／またはＦＰＧＡ（フィールドプログラマブルゲートアレイ）および／またはＡＳＩＣ（特定用途向け集積回路）を備え得る。プロセッサ４４は、メモリ４６にアクセスする（たとえば、メモリ４６に書き込む、および／またはメモリ４６から読み取る）ように設定され得、メモリ４６は、任意の種類の揮発性および／または不揮発性メモリ、たとえば、キャッシュおよび／またはバッファメモリおよび／またはＲＡＭ（ランダムアクセスメモリ）および／またはＲＯＭ（読取り専用メモリ）および／または光メモリおよび／またはＥＰＲＯＭ（消去可能プログラマブル読取り専用メモリ）を含み得る。
【００６４】
処理回路４２は、本明細書で説明される方法および／またはプロセスのいずれをも制御するように、ならびに／あるいはそのような方法および／またはプロセスを、たとえば、ホストコンピュータ２４によって実施させるように、設定され得る。プロセッサ４４は、本明細書で説明されるホストコンピュータ２４機能を実施するための１つまたは複数のプロセッサ４４に対応する。ホストコンピュータ２４は、データ、プログラマチックソフトウェアコードおよび／または本明細書で説明される他の情報を記憶するように設定されたメモリ４６を含む。いくつかの実施形態では、ソフトウェア４８および／またはホストアプリケーション５０は、プロセッサ４４および／または処理回路４２によって実行されたとき、プロセッサ４４および／または処理回路４２に、ホストコンピュータ２４に関して本明細書で説明されるプロセスを実施させる命令を含み得る。命令は、ホストコンピュータ２４に関連するソフトウェアであり得る。
【００６５】
ソフトウェア４８は、処理回路４２によって実行可能であり得る。ソフトウェア４８はホストアプリケーション５０を含む。ホストアプリケーション５０は、ＷＤ２２およびホストコンピュータ２４において終端するＯＴＴ接続５２を介して接続するＷＤ２２など、リモートユーザにサービスを提供するように動作可能であり得る。リモートユーザにサービスを提供する際に、ホストアプリケーション５０は、ＯＴＴ接続５２を使用して送信されるユーザデータを提供し得る。「ユーザデータ」は、説明される機能を実装するものとして本明細書で説明される、データおよび情報であり得る。一実施形態では、ホストコンピュータ２４は、サービスプロバイダに制御および機能を提供するために設定され得、サービスプロバイダによってまたはサービスプロバイダの代わりに動作され得る。ホストコンピュータ２４の処理回路４２は、ホストコンピュータ２４が、ネットワークノード１６および／または無線デバイス２２を観測、監視、制御すること、ネットワークノード１６および／または無線デバイス２２に送信すること、ならびに／あるいはネットワークノード１６および／または無線デバイス２２から受信することを可能にし得る。ホストコンピュータ２４の処理回路４２は、サービスプロバイダが、ネットワークノード１６および／または無線デバイス２２を観測、監視、制御すること、ネットワークノード１６および／または無線デバイス２２に送信すること、ならびに／あるいはネットワークノード１６および／または無線デバイス２２から受信することを可能にするように設定された監視ユニット５４を含み得る。
【００６６】
通信システム１０は、通信システム１０中に提供されるネットワークノード１６をさらに含み、ネットワークノード１６は、ネットワークノード１６がホストコンピュータ２４およびＷＤ２２と通信することを可能にするハードウェア５８を備える。ハードウェア５８は、通信システム１０の異なる通信デバイスのインターフェースとの有線接続または無線接続をセットアップおよび維持するための通信インターフェース６０、ならびにネットワークノード１６によってサーブされるカバレッジエリア１８中に位置するＷＤ２２との少なくとも無線接続６４をセットアップおよび維持するための無線インターフェース６２を含み得る。無線インターフェース６２は、たとえば、１つまたは複数のＲＦ送信機、１つまたは複数のＲＦ受信機、および／または１つまたは複数のＲＦトランシーバとして形成され得るか、あるいはそれらを含み得る。通信インターフェース６０は、ホストコンピュータ２４への接続６６を容易にするように設定され得る。接続６６は直接であり得るか、あるいは、接続６６は、通信システム１０のコアネットワーク１４を、および／または通信システム１０の外部の１つまたは複数の中間ネットワーク３０を通過し得る。
【００６７】
示されている実施形態では、ネットワークノード１６のハードウェア５８は、処理回路６８をさらに含む。処理回路６８は、プロセッサ７０とメモリ７２とを含み得る。詳細には、中央処理ユニットなどのプロセッサおよびメモリに加えて、またはそれらの代わりに、処理回路６８は、処理および／または制御のための集積回路、たとえば、命令を実行するように適応された、１つまたは複数のプロセッサおよび／またはプロセッサコアおよび／またはＦＰＧＡ（フィールドプログラマブルゲートアレイ）および／またはＡＳＩＣ（特定用途向け集積回路）を備え得る。プロセッサ７０は、メモリ７２にアクセスする（たとえば、メモリ７２に書き込む、および／またはメモリ７２から読み取る）ように設定され得、メモリ７２は、任意の種類の揮発性および／または不揮発性メモリ、たとえば、キャッシュおよび／またはバッファメモリおよび／またはＲＡＭ（ランダムアクセスメモリ）および／またはＲＯＭ（読取り専用メモリ）および／または光メモリおよび／またはＥＰＲＯＭ（消去可能プログラマブル読取り専用メモリ）を含み得る。
【００６８】
したがって、ネットワークノード１６は、たとえば、メモリ７２に内部的に記憶されたか、または外部接続を介してネットワークノード１６によってアクセス可能な外部メモリ（たとえば、データベース、ストレージアレイ、ネットワークストレージデバイスなど）に記憶されたソフトウェア７４をさらに有する。ソフトウェア７４は、処理回路６８によって実行可能であり得る。処理回路６８は、本明細書で説明される方法および／またはプロセスのいずれをも制御するように、ならびに／あるいはそのような方法および／またはプロセスを、たとえば、ネットワークノード１６によって実施させるように、設定され得る。プロセッサ７０は、本明細書で説明されるネットワークノード１６機能を実施するための１つまたは複数のプロセッサ７０に対応する。メモリ７２は、データ、プログラマチックソフトウェアコードおよび／または本明細書で説明される他の情報を記憶するように設定される。いくつかの実施形態では、ソフトウェア７４は、プロセッサ７０および／または処理回路６８によって実行されたとき、プロセッサ７０および／または処理回路６８に、ネットワークノード１６に関して本明細書で説明されるプロセスを実施させる命令を含み得る。
【００６９】
たとえば、処理回路６８は、ネットワークノード１６に、通信信号スロット内の参照信号についての位置を指示する情報を受信することであって、位置が、ダウンリンク−アップリンク切替えに関連する参照ポイントに対して指示される、情報を受信することと、受信された情報に少なくとも部分的に基づいて、参照信号を送信することと参照信号を受信することとのうちの少なくとも１つを行うことと、受信された参照信号と参照信号の位置を指示する受信された情報とのうちの少なくとも１つに少なくとも部分的に基づいて、リモート干渉が存在するかどうかを決定することとを行わせるように設定された決定器ユニット３４を含み得る。いくつかの実施形態では、処理回路６８は、ネットワークノード１６に、受信された参照信号と参照信号の位置を指示する受信された情報とのうちの少なくとも１つに少なくとも部分的に基づいて、リモート干渉の程度を決定することを行わせるようにさらに設定される。いくつかの実施形態では、情報は、参照信号を物理リソースにマッピングすることによって、参照信号の位置を指示する。いくつかの実施形態では、情報は、参照信号についての時間オフセットを指示する。いくつかの実施形態では、参照信号の位置を指示する情報は、運用アドミニストレーション保守（ＯＡＭ）シグナリングを介して受信される。いくつかの実施形態では、参照信号は、第２のネットワークノードから受信される。いくつかの実施形態では、位置は固定位置である。いくつかの実施形態では、参照ポイントは、ガード期間の開始である。いくつかの実施形態では、ダウンリンク−アップリンク切替えは、時分割複信（ＴＤＤ）設定に対応する。いくつかの実施形態では、指示された位置は、どの直交周波数分割多重（ＯＦＤＭ）シンボル中で参照信号が送信されるべきであるかである。いくつかの実施形態では、指示された位置は、最も小さいガード期間の開始の前の最後のダウンリンク（ＤＬ）シンボルに対応する。いくつかの実施形態では、処理回路６８は、ネットワークノード１６に、受信された参照信号と参照信号の位置を指示する受信された情報とに少なくとも部分的に基づいて、ネットワークノード１６が第２のネットワークノード１６への干渉を引き起こしている程度を決定することと、ネットワークノード１６が第２のネットワークノード１６への干渉を引き起こしている決定された程度に少なくとも部分的に基づいて、ネットワークノード１６のガード期間を増加させることとのうちの少なくとも１つを行わせるようにさらに設定される。いくつかの実施形態では、処理回路６８は、ネットワークノード１６に、参照信号がその上で受信されるシンボルと参照信号がその上で送信されたシンボルとの間の差がネットワークノードのガード期間よりも大きいかどうかを決定することであって、指示された位置は、参照信号がその上で送信されたシンボルを指示する、差がネットワークノードのガード期間よりも大きいかどうかを決定することと、差がガード期間よりも大きい場合、ガード期間を増加させることとのうちの少なくとも１つを行わせるようにさらに設定される。
【００７０】
いくつかの実施形態では、ネットワークノード１６の処理回路６８は、参照信号に対応する情報を受信機ネットワークノード１６に通信するように設定された生成器ユニット３２を含み得、参照信号に対応する情報は、受信機ネットワークノード１６が送信機ネットワークノード１６への干渉を引き起こしている程度を指示する。いくつかの実施形態では、情報は、どの直交周波数分割多重（ＯＦＤＭ）シンボル中で参照信号が送信されるかを指示する。いくつかの実施形態では、処理回路６８は、参照信号を受信機ネットワークノード１６に通信するようにさらに設定される。いくつかの実施形態では、通信された参照信号、通信された情報、および受信機ネットワークノード１６のガード期間（ＧＰ）中のシンボルの数は、受信機ネットワークノード１６が送信機ネットワークノード１６への干渉を引き起こしている程度を受信機ネットワークノード１６が決定することを可能にする。いくつかの実施形態では、情報は、参照信号のスペシャルサブフレーム設定を指示する。いくつかの実施形態では、情報は、参照信号に関連する、ガード期間の長さ、少なくとも１つのダウンリンク（ＤＬ）シンボル、および少なくとも１つのアップリンク（ＵＬ）シンボルのうちの少なくとも１つを指示する。いくつかの実施形態では、処理回路６８は、あらかじめ規定されたシーケンスを選択および通信するようにさらに設定されることによって、参照信号に対応する情報を受信機ネットワークノード１６に通信するようにさらに設定され、あらかじめ規定されたシーケンスは、参照信号のスペシャルサブフレーム設定と、参照信号に関連するガード期間長と、参照信号がその中で送信されるスロット内のダウンリンク（ＤＬ）シンボルの数とのうちの少なくとも１つを指示する。
【００７１】
上記で本明細書で説明されたように、各ネットワークノード１６は、他のネットワークノードからの干渉の、アグレッサノードとビクティムノードの両方であり得る。したがって、ネットワークノード１６の処理回路６８は、図７に示されているように、生成器ユニット３２ならびに決定器ユニット３４の両方を含み得る。
【００７２】
いくつかの実施形態では、決定器ユニット３４は、送信機ネットワークノード１６から参照信号に対応する情報を受信することと、参照信号に対応する受信された情報に少なくとも部分的に基づいて、受信機ネットワークノード１６が送信機ネットワークノード１６への干渉を引き起こしている程度を決定することとを行うように設定される。いくつかの実施形態では、処理回路６８は、受信機ネットワークノード１６が送信機ネットワークノード１６への干渉を引き起こしている決定された程度に基づいて、ガード期間を増加させるようにさらに設定される。いくつかの実施形態では、処理回路６８は、送信機ネットワークノード１６から参照信号を受信するようにさらに設定される。いくつかの実施形態では、処理回路６８は、受信された参照信号のアップリンクシンボルと参照信号がその上で送信された既知のシンボルとの間の差がガード期間よりも大きいかどうかを決定するようにさらに設定されることによって、受信機ネットワークノード１６が送信機ネットワークノード１６への干渉を引き起こしている程度を決定するように設定される。いくつかの実施形態では、処理回路６８は、差がガード期間よりも大きい場合、ガード期間を増加させることを行うようにさらに設定される。いくつかの実施形態では、受信された情報は、どの直交周波数分割多重（ＯＦＤＭ）シンボル中で参照信号が送信されるかを指示する。いくつかの実施形態では、受信された情報は、参照信号のスペシャルサブフレーム設定を指示する。いくつかの実施形態では、受信された情報は、参照信号に関連する、ガード期間の長さ、少なくとも１つのダウンリンク（ＤＬ）シンボル、および少なくとも１つのアップリンク（ＵＬ）シンボルのうちの少なくとも１つを指示する。
【００７３】
通信システム１０は、すでに言及されたＷＤ２２をさらに含む。ＷＤ２２は、ＷＤ２２が現在位置するカバレッジエリア１８をサーブするネットワークノード１６との無線接続６４をセットアップおよび維持するように設定された無線インターフェース８２を含み得る、ハードウェア８０を有し得る。無線インターフェース８２は、たとえば、１つまたは複数のＲＦ送信機、１つまたは複数のＲＦ受信機、および／または１つまたは複数のＲＦトランシーバとして形成され得るか、あるいはそれらを含み得る。
【００７４】
ＷＤ２２のハードウェア８０は、処理回路８４をさらに含む。処理回路８４は、プロセッサ８６とメモリ８８とを含み得る。詳細には、中央処理ユニットなどのプロセッサおよびメモリに加えて、またはそれらの代わりに、処理回路８４は、処理および／または制御のための集積回路、たとえば、命令を実行するように適応された、１つまたは複数のプロセッサおよび／またはプロセッサコアおよび／またはＦＰＧＡ（フィールドプログラマブルゲートアレイ）および／またはＡＳＩＣ（特定用途向け集積回路）を備え得る。プロセッサ８６は、メモリ８８にアクセスする（たとえば、メモリ８８に書き込む、および／またはメモリ８８から読み取る）ように設定され得、メモリ８８は、任意の種類の揮発性および／または不揮発性メモリ、たとえば、キャッシュおよび／またはバッファメモリおよび／またはＲＡＭ（ランダムアクセスメモリ）および／またはＲＯＭ（読取り専用メモリ）および／または光メモリおよび／またはＥＰＲＯＭ（消去可能プログラマブル読取り専用メモリ）を含み得る。
【００７５】
したがって、ＷＤ２２はソフトウェア９０をさらに備え得、ソフトウェア９０は、たとえば、ＷＤ２２におけるメモリ８８に記憶されるか、またはＷＤ２２によってアクセス可能な外部メモリ（たとえば、データベース、ストレージアレイ、ネットワークストレージデバイスなど）に記憶される。ソフトウェア９０は、処理回路８４によって実行可能であり得る。ソフトウェア９０は、クライアントアプリケーション９２を含み得る。クライアントアプリケーション９２は、ホストコンピュータ２４のサポートを伴って、ＷＤ２２を介して人間のまたは人間でないユーザにサービスを提供するように動作可能であり得る。ホストコンピュータ２４では、実行しているホストアプリケーション５０は、ＷＤ２２およびホストコンピュータ２４において終端するＯＴＴ接続５２を介して、実行しているクライアントアプリケーション９２と通信し得る。ユーザにサービスを提供する際に、クライアントアプリケーション９２は、ホストアプリケーション５０から要求データを受信し、要求データに応答してユーザデータを提供し得る。ＯＴＴ接続５２は、要求データとユーザデータの両方を転送し得る。クライアントアプリケーション９２は、クライアントアプリケーション９２が提供するユーザデータを生成するためにユーザと対話し得る。
【００７６】
処理回路８４は、本明細書で説明される方法および／またはプロセスのいずれをも制御するように、ならびに／あるいはそのような方法および／またはプロセスを、たとえば、ＷＤ２２によって実施させるように、設定され得る。プロセッサ８６は、本明細書で説明されるＷＤ２２機能を実施するための１つまたは複数のプロセッサ８６に対応する。ＷＤ２２は、データ、プログラマチックソフトウェアコードおよび／または本明細書で説明される他の情報を記憶するように設定されたメモリ８８を含む。いくつかの実施形態では、ソフトウェア９０および／またはクライアントアプリケーション９２は、プロセッサ８６および／または処理回路８４によって実行されたとき、プロセッサ８６および／または処理回路８４に、ＷＤ２２に関して本明細書で説明されるプロセスを実施させる命令を含み得る。
【００７７】
いくつかの実施形態では、ネットワークノード１６、ＷＤ２２、およびホストコンピュータ２４の内部の働きは、図７に示されているようなものであり得、別個に、周囲のネットワークトポロジーは、図６のものであり得る。
【００７８】
図７では、ＯＴＴ接続５２は、仲介デバイスとこれらのデバイスを介したメッセージの正確なルーティングとへの明示的言及なしに、ネットワークノード１６を介したホストコンピュータ２４と無線デバイス２２との間の通信を示すために抽象的に描かれている。ネットワークインフラストラクチャが、ルーティングを決定し得、ネットワークインフラストラクチャは、ＷＤ２２からまたはホストコンピュータ２４を動作させるサービスプロバイダから、またはその両方からルーティングを隠すように設定され得る。ＯＴＴ接続５２がアクティブである間、ネットワークインフラストラクチャは、さらに、ネットワークインフラストラクチャが、（たとえば、ネットワークの負荷分散考慮または再設定に基づいて）ルーティングを動的に変更する判断を行い得る。
【００７９】
ＷＤ２２とネットワークノード１６との間の無線接続６４は、本開示全体にわたって説明される実施形態の教示に従う。様々な実施形態のうちの１つまたは複数は、無線接続６４が最後のセグメントを形成し得るＯＴＴ接続５２を使用して、ＷＤ２２に提供されるＯＴＴサービスの性能を改善する。より正確には、これらの実施形態のうちのいくつかの教示は、データレート、レイテンシ、および／または電力消費を改善し、それにより、低減されたユーザ待ち時間、ファイルサイズに対する緩和された制限、より良い応答性、延長されたバッテリー寿命などの利益を提供し得る。
【００８０】
いくつかの実施形態では、１つまたは複数の実施形態が改善する、データレート、レイテンシおよび他のファクタを監視する目的での、測定プロシージャが提供され得る。測定結果の変動に応答して、ホストコンピュータ２４とＷＤ２２との間のＯＴＴ接続５２を再設定するための随意のネットワーク機能がさらにあり得る。測定プロシージャおよび／またはＯＴＴ接続５２を再設定するためのネットワーク機能は、ホストコンピュータ２４のソフトウェア４８においてまたはＷＤ２２のソフトウェア９０において、またはその両方において実装され得る。実施形態では、ＯＴＴ接続５２が通過する通信デバイスにおいて、またはその通信デバイスに関連して、センサー（図示せず）が展開され得、センサーは、上記で例示された監視された量の値を供給すること、またはソフトウェア４８、９０が監視された量を算出または推定し得る他の物理量の値を供給することによって、測定プロシージャに参加し得る。ＯＴＴ接続５２の再設定は、メッセージフォーマット、再送信セッティング、好ましいルーティングなどを含み得、再設定は、ネットワークノード１６に影響を及ぼす必要がなく、再設定は、ネットワークノード１６に知られていないかまたは知覚不可能であり得る。いくつかのそのようなプロシージャおよび機能は、当技術分野において知られ、実施され得る。いくつかの実施形態では、測定は、スループット、伝搬時間、レイテンシなどのホストコンピュータ２４の測定を容易にするプロプライエタリＷＤシグナリングを伴い得る。いくつかの実施形態では、測定は、ソフトウェア４８、９０が、伝搬時間、エラーなどを監視しながら、ソフトウェア４８、９０が、ＯＴＴ接続５２を使用して、メッセージ、特に、空のまたは「ダミー」メッセージを送信させるという点で実装され得る。
【００８１】
したがって、いくつかの実施形態では、ホストコンピュータ２４は、ユーザデータを提供するように設定された処理回路４２と、ＷＤ２２への送信のためにユーザデータをセルラネットワークにフォワーディングするように設定された通信インターフェース４０とを含む。いくつかの実施形態では、セルラネットワークは、無線インターフェース６２をもつネットワークノード１６をも含む。いくつかの実施形態では、ネットワークノード１６は、ＷＤ２２への送信を準備／始動／維持／サポート／終了すること、および／またはＷＤ２２からの送信の受信において準備／終端／維持／サポート／終了することを行うための本明細書で説明される機能および／または方法を実施するように設定され、ならびに／あるいはネットワークノード１６の処理回路６８はそれらを実施するように設定される。
【００８２】
いくつかの実施形態では、ホストコンピュータ２４は、処理回路４２と、通信インターフェース４０とを含み、通信インターフェース４０は、ＷＤ２２からネットワークノード１６への送信から発信したユーザデータを受信するように設定された通信インターフェース４０に設定される。いくつかの実施形態では、ＷＤ２２は、ネットワークノード１６への送信を準備／始動／維持／サポート／終了すること、および／またはネットワークノード１６からの送信の受信において準備／終端／維持／サポート／終了することを行うための本明細書で説明される機能および／または方法を実施するように設定され、および／またはそれらを実施するように設定された無線インターフェース８２および／または処理回路８４を備える。
【００８３】
図６および図７は、それぞれのプロセッサ内にあるものとして、生成器ユニット３２および決定器ユニット３４などの様々な「ユニット」を示すが、これらのユニットは、ユニットの一部分が処理回路内の対応するメモリに記憶されるように、実装され得ることが考えられる。言い換えれば、ユニットは、ハードウェアで、またはハードウェアと処理回路内のソフトウェアとの組合せで実装され得る。
【００８４】
図８は、一実施形態による、たとえば、図６および図７の通信システムなど、通信システムにおいて実装される例示的な方法を示すフローチャートである。通信システムは、図７を参照しながら説明されたものであり得る、ホストコンピュータ２４、ネットワークノード１６およびＷＤ２２を含み得る。方法の第１のステップにおいて、ホストコンピュータ２４はユーザデータを提供する（ブロックＳ１００）。第１のステップの随意のサブステップにおいて、ホストコンピュータ２４は、たとえば、ホストアプリケーション５０など、ホストアプリケーションを実行することによって、ユーザデータを提供する（ブロックＳ１０２）。第２のステップにおいて、ホストコンピュータ２４は、ＷＤ２２にユーザデータを搬送する送信を始動する（ブロックＳ１０４）。随意の第３のステップにおいて、ネットワークノード１６は、本開示全体にわたって説明される実施形態の教示に従って、ホストコンピュータ２４が始動した送信において搬送されたユーザデータをＷＤ２２に送信する（ブロックＳ１０６）。随意の第４のステップにおいて、ＷＤ２２は、ホストコンピュータ２４によって実行されるホストアプリケーション５０に関連する、たとえば、クライアントアプリケーション９２など、クライアントアプリケーションを実行する（ブロックＳ１０８）。
【００８５】
図９は、一実施形態による、たとえば、図６の通信システムなど、通信システムにおいて実装される例示的な方法を示すフローチャートである。通信システムは、図６および図７を参照しながら説明されたものであり得る、ホストコンピュータ２４、ネットワークノード１６およびＷＤ２２を含み得る。方法の第１のステップにおいて、ホストコンピュータ２４はユーザデータを提供する（ブロックＳ１１０）。随意のサブステップ（図示せず）において、ホストコンピュータ２４は、たとえば、ホストアプリケーション５０など、ホストアプリケーションを実行することによって、ユーザデータを提供する。第２のステップにおいて、ホストコンピュータ２４は、ＷＤ２２にユーザデータを搬送する送信を始動する（ブロックＳ１１２）。送信は、本開示全体にわたって説明される実施形態の教示に従って、ネットワークノード１６を介して進み得る。随意の第３のステップにおいて、ＷＤ２２は、送信において搬送されたユーザデータを受信する（ブロックＳ１１４）。
【００８６】
図１０は、一実施形態による、たとえば、図６の通信システムなど、通信システムにおいて実装される例示的な方法を示すフローチャートである。通信システムは、図６および図７を参照しながら説明されたものであり得る、ホストコンピュータ２４、ネットワークノード１６およびＷＤ２２を含み得る。方法の随意の第１のステップにおいて、ＷＤ２２は、ホストコンピュータ２４によって提供された入力データを受信する（ブロックＳ１１６）。第１のステップの随意のサブステップにおいて、ＷＤ２２は、ホストコンピュータ２４によって提供された受信された入力データに反応してユーザデータを提供する、クライアントアプリケーション９２を実行する（ブロックＳ１１８）。追加または代替として、随意の第２のステップにおいて、ＷＤ２２はユーザデータを提供する（ブロックＳ１２０）。第２のステップの随意のサブステップにおいて、ＷＤは、たとえば、クライアントアプリケーション９２など、クライアントアプリケーションを実行することによって、ユーザデータを提供する（ブロックＳ１２２）。ユーザデータを提供する際に、実行されたクライアントアプリケーション９２は、ユーザから受信されたユーザ入力をさらに考慮し得る。ユーザデータが提供された特定の様式にかかわらず、ＷＤ２２は、随意の第３のサブステップにおいて、ホストコンピュータ２４へのユーザデータの送信を始動し得る（ブロックＳ１２４）。方法の第４のステップにおいて、ホストコンピュータ２４は、本開示全体にわたって説明される実施形態の教示に従って、ＷＤ２２から送信されたユーザデータを受信する（ブロックＳ１２６）。
【００８７】
図１１は、一実施形態による、たとえば、図６の通信システムなど、通信システムにおいて実装される例示的な方法を示すフローチャートである。通信システムは、図６および図７を参照しながら説明されたものであり得る、ホストコンピュータ２４、ネットワークノード１６およびＷＤ２２を含み得る。方法の随意の第１のステップにおいて、本開示全体にわたって説明される実施形態の教示に従って、ネットワークノード１６は、ＷＤ２２からユーザデータを受信する（ブロックＳ１２８）。随意の第２のステップにおいて、ネットワークノード１６は、ホストコンピュータ２４への、受信されたユーザデータの送信を始動する（ブロックＳ１３０）。第３のステップにおいて、ホストコンピュータ２４は、ネットワークノード１６によって始動された送信において搬送されたユーザデータを受信する（ブロックＳ１３２）。
【００８８】
図１２は、本開示の原理のうちの少なくともいくつかによる、リモート干渉管理のためのネットワークノード１６における例示的なプロセスのフローチャートである。ネットワークノード１６によって実施される１つまたは複数のブロックおよび／または機能および／または方法は、例示的な方法に従って、処理回路６８中の決定器ユニット３４、プロセッサ７０、無線インターフェース６２などによってなど、ネットワークノード１６の１つまたは複数のエレメントによって実施され得る。例示的な方法は、決定器ユニット３４、処理回路６８および／または無線インターフェース６２を介してなど、通信信号スロット内の参照信号についての位置を指示する情報を受信すること（ブロックＳ１３４）であって、位置が、ダウンリンク−アップリンク切替えに関連する参照ポイントに対して指示される、情報を受信すること（ブロックＳ１３４）を含む。方法は、決定器ユニット３４、処理回路６８および／または無線インターフェース６２を介してなど、受信された情報に少なくとも部分的に基づいて、参照信号を送信することと参照信号を受信することとのうちの少なくとも１つを行うこと（ブロックＳ１３６）を含む。方法は、決定器ユニット３４、処理回路６８および／または無線インターフェース６２を介してなど、受信された参照信号と参照信号の位置を指示する受信された情報とのうちの少なくとも１つに少なくとも部分的に基づいて、リモート干渉が存在するかどうかを決定すること（ブロックＳ１３８）を含む。
【００８９】
いくつかの実施形態では、方法は、決定器ユニット３４、処理回路６８および／または無線インターフェース６２を介してなど、受信された参照信号と参照信号の位置を指示する受信された情報とのうちの少なくとも１つに少なくとも部分的に基づいて、リモート干渉の程度を決定することをさらに含む。いくつかの実施形態では、情報は、参照信号を物理リソースにマッピングすることによって、参照信号の位置を指示する。いくつかの実施形態では、情報は、参照信号についての時間オフセットを指示する。いくつかの実施形態では、参照信号の位置を指示する情報は、運用アドミニストレーション保守（ＯＡＭ）シグナリングを介して受信される。いくつかの実施形態では、参照信号は、第２のネットワークノード１６から受信される。いくつかの実施形態では、位置は固定位置である。いくつかの実施形態では、参照ポイントは、ガード期間の開始である。いくつかの実施形態では、ダウンリンク−アップリンク切替えは、時分割複信（ＴＤＤ）設定に対応する。いくつかの実施形態では、指示された位置は、どの直交周波数分割多重（ＯＦＤＭ）シンボル中で参照信号が送信されるべきであるかである。
【００９０】
いくつかの実施形態では、指示された位置は、最も小さいガード期間の開始の前の最後のダウンリンク（ＤＬ）シンボルに対応する。いくつかの実施形態では、方法は、決定器ユニット３４、処理回路６８および／または無線インターフェース６２を介してなど、受信された参照信号と参照信号の位置を指示する受信された情報とに少なくとも部分的に基づいて、ネットワークノードが第２のネットワークノードへの干渉を引き起こしている程度を決定することと、決定器ユニット３４、処理回路６８および／または無線インターフェース６２を介してなど、ネットワークノード１６が第２のネットワークノード１６への干渉を引き起こしている決定された程度に少なくとも部分的に基づいて、ネットワークノード１６のガード期間を増加させることとをさらに含む。いくつかの実施形態では、方法は、決定器ユニット３４、処理回路６８および／または無線インターフェース６２を介してなど、参照信号がその上で受信されるシンボルと参照信号がその上で送信されたシンボルとの間の差がネットワークノード１６のガード期間よりも大きいかどうかを決定することであって、指示された位置は、参照信号がその上で送信されたシンボルを指示する、差がネットワークノード１６のガード期間よりも大きいかどうかを決定することと、差がガード期間よりも大きい場合、決定器ユニット３４、処理回路６８および／または無線インターフェース６２を介してなど、ガード期間を増加させることとをさらに含む。
【００９１】
図１３は、本開示の原理のうちの少なくともいくつかによる、ネットワークノード１６における例示的なプロセスのフローチャートである。この例示的なプロセスでは、ネットワークノード１６は、送信機ネットワークノード１６ｃと見なされ得る。送信機ネットワークノード１６ｃは、参照信号に対応する情報を受信機ネットワークノード１６ａに通信し、参照信号に対応する情報は、受信機ネットワークノード１６ａが送信機ネットワークノード１６ｃへの干渉を引き起こしている程度を指示する（ブロックＳ１４０）。
【００９２】
このプロセスのいくつかの実施形態では、情報は、どの直交周波数分割多重（ＯＦＤＭ）シンボル中で参照信号が送信されるかを指示する。いくつかの実施形態では、方法は、参照信号を受信機ネットワークノードに通信することをさらに含む。いくつかの実施形態では、通信された参照信号、通信された情報、および受信機ネットワークノード１６ａのガード期間（ＧＰ）中のシンボルの数は、受信機ネットワークノード１６ａが送信機ネットワークノード１６ｃへの干渉を引き起こしている程度を受信機ネットワークノード１６ａが決定することを可能にする。いくつかの実施形態では、情報は、参照信号のスペシャルサブフレーム設定を指示する。いくつかの実施形態では、情報は、参照信号に関連する、ガード期間の長さ、少なくとも１つのダウンリンク（ＤＬ）シンボル、および少なくとも１つのアップリンク（ＵＬ）シンボルのうちの少なくとも１つを指示する。いくつかの実施形態では、参照信号に対応する情報を受信機ネットワークノード１６ａに通信することは、あらかじめ規定されたシーケンスを選択および通信することをさらに含み、あらかじめ規定されたシーケンスは、参照信号のスペシャルサブフレーム設定と、参照信号に関連するガード期間長と、参照信号がその中で送信されるスロット内のダウンリンク（ＤＬ）シンボルの数とのうちの少なくとも１つを指示する。
【００９３】
図１４は、本開示のいくつかの実施形態による、ネットワークノード１６における例示的なプロセスのフローチャートである。この例示的なプロセスでは、ネットワークノード１６は、受信機ネットワークノード１６ａと見なされ得る。受信機ネットワークノード１６ａは、送信機ネットワークノード１６ａから参照信号に対応する情報を受信する（ブロックＳ１４２）。受信機ネットワークノード１６ａは、参照信号に対応する受信された情報に少なくとも部分的に基づいて、受信機ネットワークノード１６ａが送信機ネットワークノード１６ｃへの干渉を引き起こしている程度を決定する（ブロックＳ１４４）。
【００９４】
いくつかの実施形態では、方法は、受信機ネットワークノード１６ａが送信機ネットワークノード１６ｃへの干渉を引き起こしている決定された程度に基づいて、ガード期間を増加させることをさらに含む。いくつかの実施形態では、方法は、送信機ネットワークノード１６ｃから参照信号を受信することをさらに含む。いくつかの実施形態では、受信機ネットワークノード１６ａが送信機ネットワークノード１６ｃへの干渉を引き起こしている程度を決定することは、受信された参照信号のアップリンクシンボルと参照信号がその上で送信された既知のシンボルとの間の差がガード期間よりも大きいかどうかを決定することをさらに含む。いくつかの実施形態では、方法は、差がガード期間よりも大きい場合、ガード期間を増加させることをさらに含む。いくつかの実施形態では、受信された情報は、どの直交周波数分割多重（ＯＦＤＭ）シンボル中で参照信号が送信されるかを指示する。いくつかの実施形態では、受信された情報は、参照信号のスペシャルサブフレーム設定を指示する。いくつかの実施形態では、受信された情報は、参照信号に関連する、ガード期間の長さ、少なくとも１つのダウンリンク（ＤＬ）シンボル、および少なくとも１つのアップリンク（ＵＬ）シンボルのうちの少なくとも１つを指示する。
【００９５】
ネットワークノード１６が別のネットワークノード１６との干渉を引き起こしている程度を決定することと、その程度を通信することとに関係する、本開示のいくつかの実施形態について説明したが、次に、実施形態のうちの少なくともいくつかのより詳細な説明が説明され、これは、ネットワークノード１６、無線デバイス２２および／またはホストコンピュータ２４によって実装され得る。
【００９６】
物理リソース上への異なるマッピング
１つの主要な実施形態では、物理リソース上への参照信号の異なるマッピングが、情報を伝達するために使用される。その情報は、参照信号を送信しているネットワークノード１６への干渉が引き起こされる程度を理解するために、受信機ネットワークノード１６によって使用され得る。
【００９７】
より詳細な実施形態では、搬送される情報は、以下の通りであり得る。
【００９８】
サブフレーム中のどのＯＦＤＭシンボル中で参照信号が送信されるか
これは、たとえば、一例として図１５に示されているように、システムにおいて設定可能な最も小さいガード期間によって与えられる最後のシンボル中であり得る。
【００９９】
固定シンボルロケーションを使用することは、一部のネットワークノード１６についてガード期間内での参照信号の送信を生じるが、それは、参照信号送信が、大きい周期性を有し、したがって時々起こるにすぎないと仮定されるので、大きい問題点ではないことがある。
【０１００】
どのＵＬシンボルｌＤ中で、受信ネットワークノード１６が送信された参照信号を検出したかと、その上で参照信号が送信される既知のシンボルｌＴＸと、受信ネットワークノード１６のスペシャルサブフレームのＧＰ中のシンボルの数ｎＧＰとに基づいて、受信ネットワークノード１６は、処理回路６８を介してなど、ｌＤ−ｌＴＸ＞ｎＧＰである場合、受信ネットワークノード１６が参照信号の送信機ネットワークノード１６への干渉を引き起こすことを知るかまたは決定することになる。
【０１０１】
受信ネットワークノード１６は、次いで、処理回路６８および／または無線インターフェース６２を介してなど、検出された参照信号を送信したビクティムネットワークノード１６への干渉を引き起こすことを回避するために、ｌＤ−ｌＴＸ＜ｎＧＰとなるようにそのＧＰを増加し得る。
【０１０２】
使用されるスペシャルサブフレーム／フレキシブルスロット設定
たとえば、３つのスペシャルサブフレーム設定があると仮定する。物理リソース上への異なるマッピングが、たとえば、図１６に示されているように適用され得る。すなわち、どのサブキャリア（ｓｃ）中で参照信号が検出されるかに応じて、スペシャルサブフレーム／フレキシブルスロット設定が知られることになる。これによって、いくつのＯＦＤＭシンボル（ｏｓ）がＤＬ送信のために使用されるかが知られ／決定され得る。サブキャリア選択は、たとえば、ＩＦＤＭＡ変調の場合の異なる組合せ、または周波数ドメインにおける任意の他のマッピング（たとえば、マッピング間の所与のサブキャリアシフトを使用する等距離マッピング）であり得る。たとえば、一例として図１７に示されているように、どのＯＦＤＭシンボル上で参照信号が送信されるかに応じて、異なる周波数サブバンドが使用され得る。
【０１０３】
ガード期間および／またはＤＬシンボルおよび／またはＵＬシンボルの長さ
これは、スペシャルサブフレーム／フレキシブルスロット設定に関する実施形態と同様であると見なされ得るが、たとえば、ＤＬシンボルのみが関心を引くものである場合、同じ参照信号が、複数のスペシャルサブフレーム設定、たとえば、［ＤＬ，ＧＰ，ＵＬ］：［５，４，５］および［５，３，６］のために使用され得る。
【０１０４】
どのスロットまたはサブフレーム中でシーケンスが送信されることを可能にされるかに関係する制限
たとえば、参照信号が１００個のサブフレームごとに送信され得、参照信号をマッピングすることが、ＯＦＤＭシンボル＃３または＃４のいずれかにおいて可能にされると仮定する。ＯＦＤＭシンボル＃３を指示することは、たとえばサブフレーム｛０，２００，４００，．．．｝中で可能にされるが、ＯＦＤＭシンボル＃４を指示することは、サブフレーム｛１００，３００，５００，．．．｝中で可能にされ得る。これは、必ずしもサブフレームに関係するとは限らず、必ずしも全体的フレーム構造における固定間隔に関係するとは限らない、任意のタイプの時間的マッピング制限において適用され得る。
【０１０５】
いくつかの実施形態では、検出確率を最大にし、誤検出を最小限に抑えるために、異なるネットワークノード１６またはネットワークノード１６のグループは、一実施形態では、異なる時間において送信するように割り振られ得る。「異なる時間」は、ここでは、各ネットワークノード／ネットワークノードグループが、異なるサブフレームオフセットを使用する、たとえばＸ番目のサブフレームごとの、あらかじめ規定された時間構造と呼ばれる。
【０１０６】
実施形態のこれらのセットにおいて情報を伝達するために、異なるリソースマッピングが使用されるとき、伝達される情報の異なる仮説に各々対応する、異なるロケーションにおいて、単一のビクティムネットワークノード１６によって送信された参照信号を受信機が検出することを試みなければならないので、検出の複雑さは増加され得る。これを軽減するために、一実施形態では、ビクティムネットワークノード１６は、２つのロケーションにおいて参照信号を送信する。固定され、受信ネットワークノード１６によって知られており、前記情報に依存しない第１のロケーション、および、前記情報に依存し、それにより第２のロケーションの選択が情報を伝達する、第２のロケーション。これは、検出が少なくとも２つのステップにスプリットされ得るので、受信ネットワークノード１６における検出の複雑さを低減する。第１のステップにおいて、受信ネットワークノード１６は、第１のロケーションにおいて、送信された参照信号を検出することを試み得る。参照信号が検出された場合（およびその場合のみ）、受信ネットワークノード１６は、第２のステップにおいて、可能な第２のロケーションの各々において、参照信号を検出することを試み得る。どの候補の第２のロケーションにおいて参照信号が検出されるかに基づいて、本明細書の前の実施形態において説明されたように、異なる情報が伝達される。したがって、受信ネットワークノード１６は、その対応する第１のロケーションにおいて送信されたあるビクティムネットワークノード１６からの参照信号を検出したとき、候補の第２のロケーションを通して検索する必要があるにすぎない。
【０１０７】
適応参照信号構造
別の主要な実施形態では、参照信号の異なる構造が、情報を伝達するために使用され得る。その情報は、参照信号を送信しているネットワークノード１６への干渉が（受信機ネットワークノード１６によって）引き起こされる程度を理解するために、受信機ネットワークノード１６によって使用され得る。
【０１０８】
より詳細な実施形態では、搬送される情報は、以下の通りであり得る。
【０１０９】
選択されるシーケンスによる
シーケンスは、あらかじめ規定されたシーケンス生成器の異なるシード初期化によって、または、たとえば、そこから選択するためのあらかじめ規定されたシーケンスを有することによって生成され得る。選択されるシーケンスは、たとえば、使用されるスペシャルサブフレーム設定、ガード期間長を指示するか、あるいは、その中で参照信号が送信されるスロット内の、ＤＬシンボルの数を指示するかまたは直接ＯＦＤＭシンボルを指示することができる。たとえば、図１８を参照されたい。（本例のように）スロット中のシーケンスの位置は固定される必要がないことに留意されたい。生成される信号シーケンスの例は、異なるＺａｄｏｆｆ−Ｃｈｕシーケンスが、異なる情報を伝達するために選択され得る、Ｚａｄｏｆｆ−Ｃｈｕシーケンス、あるいは、異なる初期化シードが、情報を伝達するために使用され得る、Ｇｏｌｄシーケンスまたはｍシーケンスなど、ＰＮシーケンスである。
【０１１０】
参照信号のマッピングおよび構造
いくつかの実施形態では、上記で説明された実施形態の任意の組合せがあり得ることに留意されたい。言い換えれば、本開示で説明される任意の２つまたはそれ以上の実施形態が、任意のやり方で互いに組み合わせられ得る。
【０１１１】
上述のように、参照信号が時間的にいつ送られたかの知識を用いて、検出された参照信号の伝搬遅延が決定され得る。すべてのセルにおけるアップリンクが同時に開始すると仮定されるという点で、アップリンクダウンリンク設定が整合されると仮定されるので、アップリンクに先行するガード期間は、伝搬遅延をカバーするのに十分に長くなるべきであり、したがって、（ガード期間を増加させるために）ＤＬ送信がどのくらい短縮されるべきであるかを決定することが可能である。
【０１１２】
上記のことから、ｌＤが受信された時間である場合、送信時間ｌＴＸに関するシグナリングされた知識は、ガード期間が公称アップリンク開始ポイントに対して少なくともｌＤ−ｌＴＸ＞ｎＧＰであるべきであることを、アグレッサネットワークノード１６が理解することを可能にすることを思い出す。
【０１１３】
しかしながら、送信時間がｌＴＸであるが、実際の送信時間の代わりにｌＴＸ−ΔＧＰがシグナリングされる（ただし、ΔＧＰは、送信ノードのサブフレーム／スロット／サブスロットと、受信ノードのサブフレーム／スロット／サブスロットとの間のタイミング差である）場合、ガード期間は、ｌＤ−ｌＴＸ＋ΔＧＰとなる。したがって、異なるセルにおける整合されていないアップリンクを伴う場合についても（その不整合が既知の場合）、無線インターフェース６２を介してなど、リモート干渉を軽減するための情報をシグナリングすることが可能である。これは、伝達される情報が「干渉の程度」である、別の実施形態である。
【０１１４】
さらに、１つまたは複数の実施形態は、以下のうちの１つまたは複数を含み得る。
実施形態Ａ１．  無線デバイス（ＷＤ）と通信するように設定された送信機ネットワークノードであって、送信機ネットワークノードは、
参照信号に対応する情報を受信機ネットワークノードに通信することであって、参照信号に対応する情報は、受信機ネットワークノードが送信機ネットワークノードへの干渉を引き起こしている程度を指示する、参照信号に対応する情報を受信機ネットワークノードに通信すること
を行うように設定され、ならびに／あるいは、それを行うように設定された無線インターフェースを備え、および／またはそれを行うように設定された処理回路を備える、送信機ネットワークノード。
実施形態Ａ２．  情報は、どの直交周波数分割多重（ＯＦＤＭ）シンボル中で参照信号が送信されるかを指示する、実施形態Ａ１に記載の送信機ネットワークノード。
実施形態Ａ３．  処理回路が、受信機ネットワークノードへの参照信号の通信を引き起こすようにさらに設定された、実施形態Ａ１およびＡ２のいずれか１つに記載の送信機ネットワークノード。
実施形態Ａ４．  通信された参照信号、通信された情報、および受信機ネットワークノードのガード期間（ＧＰ）中のシンボルの数は、受信機ネットワークノードが送信機ネットワークノードへの干渉を引き起こしている程度を受信機ネットワークノードが決定することを可能にする、実施形態Ａ１〜Ａ３のいずれか１つに記載の送信機ネットワークノード。
実施形態Ａ５．  情報が、参照信号のスペシャルサブフレーム設定を指示する、実施形態Ａ１〜Ａ４のいずれか１つに記載の送信機ネットワークノード。
実施形態Ａ６．  情報が、参照信号に関連する、ガード期間の長さ、少なくとも１つのダウンリンク（ＤＬ）シンボル、および少なくとも１つのアップリンク（ＵＬ）シンボルのうちの少なくとも１つを指示する、実施形態Ａ１〜Ａ５のいずれか１つに記載の送信機ネットワークノード。
実施形態Ａ７．  処理回路が、あらかじめ規定されたシーケンスを選択および通信するようにさらに設定されることによって、参照信号に対応する情報を受信機ネットワークノードに通信するようにさらに設定され、あらかじめ規定されたシーケンスは、参照信号のスペシャルサブフレーム設定と、参照信号に関連するガード期間長と、参照信号がその中で送信されるスロット内のダウンリンク（ＤＬ）シンボルの数とのうちの少なくとも１つを指示する、実施形態Ａ１〜Ａ６のいずれか１つに記載の送信機ネットワークノード。
実施形態Ｂ１．  ネットワークノードにおいて実装される方法であって、方法は、
参照信号に対応する情報を受信機ネットワークノードに通信することであって、参照信号に対応する情報は、受信機ネットワークノードが送信機ネットワークノードへの干渉を引き起こしている程度を指示する、参照信号に対応する情報を受信機ネットワークノードに通信すること
を含む、方法。
実施形態Ｂ２．  情報は、どの直交周波数分割多重（ＯＦＤＭ）シンボル中で参照信号が送信されるかを指示する、実施形態Ｂ１に記載の方法。
実施形態Ｂ３．  参照信号を受信機ネットワークノードに通信することをさらに含む、実施形態Ｂ１およびＢ２のいずれか１つに記載の方法。
実施形態Ｂ４．  通信された参照信号、通信された情報、および受信機ネットワークノードのガード期間（ＧＰ）中のシンボルの数は、受信機ネットワークノードが送信機ネットワークノードへの干渉を引き起こしている程度を受信機ネットワークノードが決定することを可能にする、実施形態Ｂ１〜Ｂ３のいずれか１つに記載の方法。
実施形態Ｂ５．  情報が、参照信号のスペシャルサブフレーム設定を指示する、実施形態Ｂ１〜Ｂ４のいずれか１つに記載の方法。
実施形態Ｂ６．  情報が、参照信号に関連する、ガード期間の長さ、少なくとも１つのダウンリンク（ＤＬ）シンボル、および少なくとも１つのアップリンク（ＵＬ）シンボルのうちの少なくとも１つを指示する、実施形態Ｂ１〜Ｂ５のいずれか１つに記載の方法。
実施形態Ｂ７．  参照信号に対応する情報を受信機ネットワークノードに通信することが、あらかじめ規定されたシーケンスを選択および通信することをさらに含み、あらかじめ規定されたシーケンスは、参照信号のスペシャルサブフレーム設定と、参照信号に関連するガード期間長と、参照信号がその中で送信されるスロット内のダウンリンク（ＤＬ）シンボルの数とのうちの少なくとも１つを指示する、実施形態Ｂ１〜Ｂ６のいずれか１つに記載の方法。
実施形態Ｃ１．  無線デバイス（ＷＤ）と通信するように設定された受信機ネットワークノードであって、受信機ネットワークノードは、
送信機ネットワークノードから参照信号に対応する情報を受信することと、
参照信号に対応する受信された情報に少なくとも部分的に基づいて、受信機ネットワークノードが送信機ネットワークノードへの干渉を引き起こしている程度を決定することと
を行うように設定され、ならびに／あるいは、それを行うように設定された無線インターフェースを備え、および／またはそれを行うように設定された処理回路を備える、受信機ネットワークノード。
実施形態Ｃ２．  処理回路は、受信機ネットワークノードが送信機ネットワークノードへの干渉を引き起こしている決定された程度に基づいて、ガード期間を増加させるようにさらに設定された、実施形態Ｃ１に記載の受信機ネットワークノード。
実施形態Ｃ３．  処理回路が、送信機ネットワークノードから参照信号を受信するようにさらに設定された、実施形態Ｃ１〜Ｃ３のいずれか１つに記載の受信機ネットワークノード。
実施形態Ｃ４．  処理回路は、受信された参照信号のアップリンクシンボルと参照信号がその上で送信された既知のシンボルとの間の差がガード期間よりも大きいかどうかを決定するようにさらに設定されることによって、受信機ネットワークノードが送信機ネットワークノードへの干渉を引き起こしている程度を決定するように設定された、実施形態Ｃ３に記載の受信機ネットワークノード。
実施形態Ｃ５．  処理回路は、差がガード期間よりも大きい場合、ガード期間を増加させることを行うようにさらに設定された、実施形態Ｃ４に記載の受信機ネットワークノード。
実施形態Ｃ６．  受信された情報は、どの直交周波数分割多重（ＯＦＤＭ）シンボル中で参照信号が送信されるかを指示する、実施形態Ｃ１〜Ｃ５のいずれか１つに記載の受信機ネットワークノード。
実施形態Ｃ７．  受信された情報が、参照信号のスペシャルサブフレーム設定を指示する、実施形態Ｃ１〜Ｃ６のいずれか１つに記載の受信機ネットワークノード。
実施形態Ｃ８．  受信された情報が、参照信号に関連する、ガード期間の長さ、少なくとも１つのダウンリンク（ＤＬ）シンボル、および少なくとも１つのアップリンク（ＵＬ）シンボルのうちの少なくとも１つを指示する、実施形態Ｃ１〜Ｃ７のいずれか１つに記載の受信機ネットワークノード。
実施形態Ｄ１．  ネットワークノードにおいて実装される方法であって、方法は、
送信機ネットワークノードから参照信号に対応する情報を受信することと、
参照信号に対応する受信された情報に少なくとも部分的に基づいて、受信機ネットワークノードが送信機ネットワークノードへの干渉を引き起こしている程度を決定することと
を含む、方法。
実施形態Ｄ２．  受信機ネットワークノードが送信機ネットワークノードへの干渉を引き起こしている決定された程度に基づいて、ガード期間を増加させることをさらに含む、実施形態Ｄ１に記載の方法。
実施形態Ｄ３．  送信機ネットワークノードから参照信号を受信することをさらに含む、実施形態Ｄ１〜Ｄ２のいずれか１つに記載の方法。
実施形態Ｄ４．  受信機ネットワークノードが送信機ネットワークノードへの干渉を引き起こしている程度を決定することは、受信された参照信号のアップリンクシンボルと参照信号がその上で送信された既知のシンボルとの間の差がガード期間よりも大きいかどうかを決定することをさらに含む、実施形態Ｄ３に記載の方法。
実施形態Ｄ５．  差がガード期間よりも大きい場合、ガード期間を増加させることをさらに含む、実施形態Ｄ４に記載の方法。
実施形態Ｄ６．  受信された情報は、どの直交周波数分割多重（ＯＦＤＭ）シンボル中で参照信号が送信されるかを指示する、実施形態Ｄ１〜Ｄ５のいずれか１つに記載の方法。
実施形態Ｄ７．  受信された情報が、参照信号のスペシャルサブフレーム設定を指示する、実施形態Ｄ１〜Ｄ６のいずれか１つに記載の方法。
実施形態Ｄ８．  受信された情報が、参照信号に関連する、ガード期間の長さ、少なくとも１つのダウンリンク（ＤＬ）シンボル、および少なくとも１つのアップリンク（ＵＬ）シンボルのうちの少なくとも１つを指示する、実施形態Ｄ１〜Ｄ７のいずれか１つに記載の方法。
【０１１５】
当業者によって諒解されるように、本明細書で説明される概念は、方法、データ処理システム、コンピュータプログラム製品、および／または実行可能コンピュータプログラムを記憶するコンピュータ記憶媒体として具現され得る。したがって、本明細書で説明される概念は、完全にハードウェアの実施形態、完全にソフトウェアの実施形態、またはソフトウェア態様とハードウェア態様とを組み合わせる実施形態の形態をとり得、これらはすべて、本明細書では概して「回路」または「モジュール」と呼ばれることがある。本明細書で説明される任意のプロセス、ステップ、アクションおよび／または機能は、ソフトウェアおよび／またはファームウェアおよび／またはハードウェアにおいて実装され得る、対応するモジュールによって実施され、ならびに／あるいはそのモジュールに関連し得る。さらに、本開示は、コンピュータによって実行され得る媒体において具現されるコンピュータプログラムコードを有する、有形コンピュータ使用可能記憶媒体上のコンピュータプログラム製品の形態をとり得る。ハードディスク、ＣＤ−ＲＯＭ、電子ストレージデバイス、光ストレージデバイス、または磁気ストレージデバイスを含む、任意の好適な有形コンピュータ可読媒体が利用され得る。
【０１１６】
いくつかの実施形態が、方法、システムおよびコンピュータプログラム製品のフローチャート例示図および／またはブロック図を参照しながら本明細書で説明された。フローチャート例示図および／またはブロック図の各ブロック、ならびにフローチャート例示図および／またはブロック図中のブロックの組合せが、コンピュータプログラム命令によって実装され得ることを理解されよう。これらのコンピュータプログラム命令は、機械を製造するために、（それにより専用コンピュータを作成するための）汎用コンピュータ、専用コンピュータ、または他のプログラマブルデータ処理装置のプロセッサに提供され得、その結果、コンピュータまたは他のプログラマブルデータ処理装置のプロセッサを介して実行するそれらの命令は、フローチャートおよび／またはブロック図の１つまたは複数のブロックにおいて指定された機能／行為を実装するための手段を作成する。
【０１１７】
これらのコンピュータプログラム命令はまた、コンピュータまたは他のプログラマブルデータ処理装置に特定の様式で機能するように指示することができるコンピュータ可読メモリまたは記憶媒体に記憶され得、その結果、コンピュータ可読メモリに記憶された命令は、フローチャートおよび／またはブロック図の１つまたは複数のブロックにおいて指定された機能／行為を実装する命令手段を含む製造品を製造する。
【０１１８】
コンピュータプログラム命令はまた、コンピュータ実装プロセスを生成するために、一連の動作ステップをコンピュータまたは他のプログラマブル装置上で実施させるように、コンピュータまたは他のプログラマブルデータ処理装置にロードされ得、その結果、コンピュータまたは他のプログラマブル装置上で実行される命令は、フローチャートおよび／またはブロック図の１つまたは複数のブロックにおいて指定された機能／行為を実装するためのステップを提供する。
【０１１９】
ブロック中で言及される機能／行為は、動作の例示図中で言及される順序から外れて行われ得ることを理解されたい。たとえば、関与する機能／行為に応じて、連続して示されている２つのブロックが、事実上、実質的にコンカレントに実行され得るか、またはブロックが、時々、逆の順序で実行され得る。図のうちのいくつかが、通信の主要な方向を示すために通信経路上に矢印を含むが、通信が、図示された矢印と反対方向に行われ得ることを理解されたい。
【０１２０】
本明細書で説明される概念の動作を行うためのコンピュータプログラムコードが、Ｊａｖａ（登録商標）またはＣ＋＋など、オブジェクト指向プログラミング言語で書かれ得る。しかしながら、本開示の動作を行うためのコンピュータプログラムコードは、「Ｃ」プログラミング言語など、従来の手続き型プログラミング言語でも書かれ得る。プログラムコードは、完全にユーザのコンピュータ上で、部分的にユーザのコンピュータ上で、スタンドアロンソフトウェアパッケージとして、部分的にユーザのコンピュータ上でおよび部分的にリモートコンピュータ上で、あるいは完全にリモートコンピュータ上で実行し得る。後者のシナリオでは、リモートコンピュータは、ローカルエリアネットワーク（ＬＡＮ）またはワイドエリアネットワーク（ＷＡＮ）を通してユーザのコンピュータに接続され得るか、あるいは接続は、（たとえば、インターネットサービスプロバイダを使用してインターネットを通して）外部コンピュータに対して行われ得る。
【０１２１】
多くの異なる実施形態が、上記の説明および図面に関して、本明細書で開示された。これらの実施形態のあらゆる組合せおよび部分組合せを文字通り説明および例示することは、過度に繰返しが多く、不明瞭にすることを理解されよう。したがって、すべての実施形態は、何らかのやり方および／または組合せで組み合わせられ得、図面を含む本明細書は、本明細書で説明される実施形態のすべての組合せおよび部分組合せと、それらを作製および使用する様式およびプロセスのすべての組合せおよび部分組合せとの完全な記載された説明を構成すると解釈されたく、ならびに、任意のそのような組合せまたは部分組合せに対する請求を支持するものとする。
【０１２２】
前述の説明で使用され得る略語は、以下を含む。
略語  説明
ＢＳ  基地局
ＤＣＩ  ダウンリンク制御情報
ＤＬ  ダウンリンク
ＦＤＤ  周波数分割複信
ＧＰ  ガード期間
ＬＴＥ  Ｌｏｎｇ  Ｔｅｒｍ  Ｅｖｏｌｕｔｉｏｎ
ＮＲ  新無線
ＴＤＤ  時分割複信
ＰＤＣＣＨ  物理ダウンリンク制御チャネル
ＰＤＳＣＨ  物理ダウンリンク共有チャネル
ＰＵＣＣＨ  物理アップリンク制御チャネル
ＰＵＳＣＨ  物理アップリンク共有チャネル
ＲＡＴ  無線アクセス技術
ＲＢ  リソースブロック
ＵＥ  ユーザ機器
ＵＬ  アップリンク
【０１２３】
本明細書で説明される実施形態は、上記で本明細書で特に示され、説明されたことに限定されないことが当業者によって諒解されよう。さらに、そうでないことが上記で述べられていない限り、添付の図面のすべてが一定の縮尺であるとは限らないことに留意されたい。上記の教示に照らして、以下の特許請求の範囲から逸脱することなく、様々な修正および変形が可能である。
【図１】
2021533682.tif 000004
【図２】
2021533682.tif 000005
【図３】
2021533682.tif 000006
【図４】
2021533682.tif 000007
【図５】
2021533682.tif 000008
【図６】
2021533682.tif 000009
【図７】
2021533682.tif 000010
【図８】
2021533682.tif 000011
【図９】
2021533682.tif 000012
【図１０】
2021533682.tif 000013
【図１１】
2021533682.tif 000014
【図１２】
2021533682.tif 000015
【図１３】
2021533682.tif 000016
【図１４】
2021533682.tif 000017
【図１５】
2021533682.tif 000018
【図１６】
2021533682.tif 000019
【図１７】
2021533682.tif 000020
【図１８】
2021533682.tif 000021
【手続補正書】
【提出日】令和3年4月20日(2021.4.20)
【手続補正１】
【補正対象書類名】特許請求の範囲
【補正対象項目名】全文
【補正方法】変更
【補正の内容】
【特許請求の範囲】
【請求項１】
リモート干渉管理のためのネットワークノード（１６）における方法であって、前記方法は、
通信信号スロット内の参照信号についての位置を指示する情報を受信すること（Ｓ１３４）であって、前記位置が、ダウンリンク−アップリンク切替えに関連する参照ポイントに対して指示される、情報を受信すること（Ｓ１３４）と、
前記受信された情報に少なくとも部分的に基づいて、前記参照信号を送信することと前記参照信号を受信することとのうちの少なくとも１つを行うこと（Ｓ１３６）と、
前記受信された参照信号と、前記参照信号の前記位置を指示する前記受信された情報とのうちの少なくとも１つに少なくとも部分的に基づいて、リモート干渉が存在するかどうかを決定すること（Ｓ１３８）と
を含む、方法。
【請求項２】
前記受信された参照信号と前記参照信号の前記位置を指示する前記受信された情報とのうちの少なくとも１つに少なくとも部分的に基づいて、前記リモート干渉の程度を決定すること
をさらに含む、請求項１に記載の方法。
【請求項３】
前記情報が、前記参照信号を物理リソースにマッピングすることによって、前記参照信号の前記位置を指示する、請求項１または２に記載の方法。
【請求項４】
前記情報が、前記参照信号についての時間オフセットを指示する、請求項１から３のいずれか一項に記載の方法。
【請求項５】
前記参照信号の前記位置を指示する前記情報が、運用アドミニストレーション保守（ＯＡＭ）シグナリングを介して受信されることと、
前記参照信号が、第２のネットワークノード（１６）から受信されることと
のうちの少なくとも１つである、請求項１から４のいずれか一項に記載の方法。
【請求項６】
前記位置が固定位置であることと、
前記参照ポイントが、ガード期間の開始であることと、
前記ダウンリンク−アップリンク切替えが、時分割複信（ＴＤＤ）設定に対応することと
のうちの少なくとも１つである、請求項１から５のいずれか一項に記載の方法。
【請求項７】
前記指示された位置は、どの直交周波数分割多重（ＯＦＤＭ）シンボル中で前記参照信号が送信されるべきであるかである、請求項１から６のいずれか一項に記載の方法。
【請求項８】
前記指示された位置が、最も小さいガード期間の開始の前の最後のダウンリンク（ＤＬ）シンボルに対応する、請求項１から７のいずれか一項に記載の方法。
【請求項９】
前記受信された参照信号と前記参照信号の前記位置を指示する前記受信された情報とに少なくとも部分的に基づいて、前記ネットワークノード（１６）が第２のネットワークノード（１６）への干渉を引き起こしている程度を決定することと、
前記ネットワークノード（１６）が前記第２のネットワークノード（１６）への干渉を引き起こしている前記決定された程度に少なくとも部分的に基づいて、前記ネットワークノード（１６）のガード期間を増加させることと
のうちの少なくとも１つをさらに含む、請求項１から８のいずれか一項に記載の方法。
【請求項１０】
前記参照信号がその上で受信されるシンボルと前記参照信号がその上で送信されたシンボルとの間の差が前記ネットワークノード（１６）のガード期間よりも大きいかどうかを決定することであって、前記指示された位置は、前記参照信号がその上で送信された前記シンボルを指示する、差が前記ネットワークノード（１６）のガード期間よりも大きいかどうかを決定することと、
前記差が前記ガード期間よりも大きい場合、前記ガード期間を増加させることと
のうちの少なくとも１つをさらに含む、請求項１から９のいずれか一項に記載の方法。
【請求項１１】
無線デバイス（ＷＤ）（２２）と通信するように設定されたネットワークノード（１６）であって、前記ネットワークノード（１６）が処理回路（６８）を備え、前記処理回路（６８）は、前記ネットワークノード（１６）に、
通信信号スロット内の参照信号についての位置を指示する情報を受信することであって、前記位置が、ダウンリンク−アップリンク切替えに関連する参照ポイントに対して指示される、情報を受信することと、
前記受信された情報に少なくとも部分的に基づいて、前記参照信号を送信することと前記参照信号を受信することとのうちの少なくとも１つを行うことと、
前記受信された参照信号と前記参照信号の前記位置を指示する前記受信された情報とのうちの少なくとも１つに少なくとも部分的に基づいて、リモート干渉が存在するかどうかを決定することと
を行わせるように設定された、ネットワークノード（１６）。
【請求項１２】
前記処理回路（６８）が、前記ネットワークノード（１６）に、
前記受信された参照信号と前記参照信号の前記位置を指示する前記受信された情報とのうちの少なくとも１つに少なくとも部分的に基づいて、前記リモート干渉の程度を決定すること
を行わせるようにさらに設定された、請求項１１に記載のネットワークノード（１６）。
【請求項１３】
前記情報が、前記参照信号を物理リソースにマッピングすることによって、前記参照信号の前記位置を指示する、請求項１１または１２に記載のネットワークノード（１６）。
【請求項１４】
前記処理回路（６８）は、前記ネットワークノード（１６）に、
前記受信された参照信号と前記参照信号の前記位置を指示する前記受信された情報とに少なくとも部分的に基づいて、前記ネットワークノード（１６）が第２のネットワークノード（１６）への干渉を引き起こしている程度を決定することと、
前記ネットワークノード（１６）が前記第２のネットワークノード（１６）への干渉を引き起こしている前記決定された程度に少なくとも部分的に基づいて、前記ネットワークノード（１６）のガード期間を増加させることと
のうちの少なくとも１つを行わせるようにさらに設定された、請求項１１から１３のいずれか一項に記載のネットワークノード（１６）。
【請求項１５】
前記処理回路（６８）は、前記ネットワークノード（１６）に、
前記参照信号がその上で受信されるシンボルと前記参照信号がその上で送信されたシンボルとの間の差が前記ネットワークノード（１６）のガード期間よりも大きいかどうかを決定することであって、前記指示された位置は、前記参照信号がその上で送信された前記シンボルを指示する、差が前記ネットワークノード（１６）のガード期間よりも大きいかどうかを決定することと、
前記差が前記ガード期間よりも大きい場合、前記ガード期間を増加させることと
のうちの少なくとも１つを行わせるようにさらに設定された、請求項１１から１４のいずれか一項に記載のネットワークノード（１６）。
【国際調査報告】
2021533682.tif 000022
2021533682.tif 000023
2021533682.tif 000024